(57)【要約】【課題】破砕装置の過負荷状態を確実に解消することができる木材破砕機を提供する。【解決手段】被破砕木材を破砕する破砕装置１２と、この破砕装置１２を駆動する破砕装置用油圧モータ１２１と、破砕装置１２に被破砕物を搬送する送りコンベア１１と、破砕装置１２の上部に設けた回動軸２２を中心として回動可能に設けた支持部材２３により送りコンベア１１の上方に回転自在に支持された押えローラ２４と、支持部材２３を回動軸２２を中心に回動させる油圧シリンダ２８と、破砕装置用油圧モータ１２１の負荷圧を検出する圧力センサ１３８，１３９と、この圧力センサ１３８，１３９で検出した負荷圧が設定したしきい値を上回る場合に、支持部材２３を送りコンベア１１から離間させるように油圧シリンダ２８を制御するコントローラ８４とを備える。【選択図】  図３
2006192379.tif 000002
【特許請求の範囲】
【請求項１】
被破砕木材を破砕する破砕装置と、
この破砕装置を駆動する破砕装置用油圧モータと、
前記破砕装置に被破砕木材を搬送する送りコンベアと、
前記破砕装置の上部に設けた回動軸を中心として回動可能に設けたアームにより前記送りコンベアの上方に回転自在に支持された押えローラと、
前記アームを前記回動軸を中心に回動させるアーム駆動手段と、
前記破砕装置用油圧モータの負荷圧を検出する圧力検出手段と、
この圧力検出手段で検出した負荷圧が設定したしきい値を上回る場合に、前記アームを前記送りコンベアから離間させるように前記アーム駆動手段を制御する制御手段と
を備えたことを特徴とする木材破砕機。
【請求項２】
前記制御手段は、前記アームを前記送りコンベアから離間させ、その状態で保持するように前記アーム駆動手段を制御することを特徴とする請求項１記載の木材破砕機。
【請求項３】
前記アームの回動角度を検出する角度検出手段を備え、前記制御手段は、前記角度検出手段で検出した前記アームの回動角度が設定角度となったときに、前記アームを保持することを特徴とする請求項２記載の木材破砕機。
【請求項４】
前記制御手段は、前記アームが前記送りコンベアに対し離間、近接を繰り返すように前記アーム駆動手段を制御することを特徴とする請求項１記載の木材破砕機。
【請求項５】
前記アームの回動角度を検出する角度検出手段を備え、前記制御手段は、前記角度検出手段で検出した前記アームの回動角度が設定角度となったときに、前記アームの回動方向を反転させることを特徴とする請求項４記載の木材破砕機。
【請求項６】
前記制御手段は、前記アームが前記送りコンベアから離間するように前記アーム駆動手段を制御した後、前記圧力検出手段で検出した負荷圧が前記しきい値を下回った場合には、前記アームを元の状態に復帰させるように前記アーム駆動手段を制御することを特徴とする請求項１乃至請求項５のいずれか１項に記載の木材破砕機。
【請求項７】
前記制御手段は、前記アームを前記送りコンベアから離間させた後元の状態に復帰させるまでの間、前記送りコンベア及び前記押えローラを停止するように制御することを特徴とする請求項６記載の木材破砕機。
【発明の詳細な説明】
【技術分野】
【０００１】
本発明は、剪定枝材・間伐材、枝木材、廃木材等を破砕対象とする木材破砕機に関し、例えば破砕ロータを回転させて被破砕木材を破砕する木材破砕機に関するものである。
【背景技術】
【０００２】
例えば、森林で伐採された木材を枝払いするときに発生する剪定枝材・間伐材や、造成・緑地維持管理等で発生する枝木材、あるいは木造家屋に使用された廃木材は、通常、最終的に産業廃棄物として処理される。木材破砕機は、廃棄物処理過程における廃棄物の減容を図ったり、粉砕した後の粉砕物を発酵処理し有機肥料として再利用することを目的に、それら枝材・枝木材等を、運搬する前にその作業現場で所定の大きさに破砕するものである。
【０００３】
この種の木材破砕機として、外周部に破砕ビットを配設した破砕ロータ（ロータ）を備えた回転式の破砕装置と、この破砕装置に被破砕木材を搬送する送りコンベア（コンベア）と、上記破砕装置の上部を中心として回動可能に支持されたアームにより上記送りコンベアの上方に回転自在に支持された押えローラ（ローラ）とを備えたものがある（例えば、特許文献１参照。）。この従来技術では、送りコンベアにより破砕装置に導入される被破砕木材を押えローラが自重によって押圧することにより、押えローラと送りコンベアとで協働して被破砕木材を押圧把持し、破砕装置へと押し込み導入する。
【０００４】
一方、破砕装置の過負荷防止の観点から、破砕ロータを有する破砕装置と、上記破砕ロータを駆動する破砕装置用油圧モータと、送りコンベア（搬送手段）と、この送りコンベアを駆動する送りコンベア用油圧モータ（搬送手段用油圧モータ）と、押えローラ（押圧導入手段）と、この押えローラを駆動する押えローラ用油圧モータ（押圧導入手段用油圧モータ）と、上記破砕装置用油圧モータの負荷圧を検出する圧力検出手段（破砕負荷検出手段）と、この圧力検出手段で破砕装置用油圧モータの過負荷状態を検出した場合に、送りコンベア用油圧モータ及び押えローラ用油圧モータを逆転駆動するように制御する制御手段とを備えたものがある（例えば、特許文献２参照。）。この従来技術では、例えば被破砕物の投入量が過大となり破砕装置が過負荷状態となった場合に、送りコンベア用油圧モータ及び押えローラ用油圧モータを逆転させることで破砕装置への被破砕物の導入を一次中断し、破砕装置の負荷を低減できるようになっている。
【０００５】
【特許文献１】米国特許第５９４７３９５号明細書
【特許文献２】特開２００２−３４６４２７号公報（第２０−２１頁、第１８図）
【発明の開示】
【発明が解決しようとする課題】
【０００６】
木材破砕機として、上記特許文献１記載の従来構造に上記特許文献２記載の逆転制御を適用した場合が考えられる。しかしながら、このような構成の木材破砕機では、以下のような問題を生じる恐れがある。
【０００７】
すなわち、上記特許文献１記載の従来構造の場合、押えローラを支持するアームと破砕装置との隙間に木材が入って滞留し、この滞留した木材が押えローラ及びアームの自重により破砕装置に押し付けられ、それが原因となって破砕装置が過負荷状態となる場合がある。このような場合には、上記特許文献２記載の従来技術のように、送りコンベア用油圧モータ及び押えローラ用油圧モータを逆転させても、滞留した木材は除去されないため、破砕装置の過負荷状態が解消されない恐れがあった。
【０００８】
本発明は、上記従来技術の問題に鑑みてなされたものであり、その目的は、破砕装置の過負荷状態を確実に解消することができる木材破砕機を提供することにある。
【課題を解決するための手段】
【０００９】
（１）上記目的を達成するために、本発明の木材破砕機は、被破砕木材を破砕する破砕装置と、前記破砕ロータを駆動する破砕装置用油圧モータと、前記破砕装置に被破砕木材を搬送する送りコンベアと、前記破砕装置の上部に設けた回動軸を中心として回動可能に設けたアームにより前記送りコンベアの上方に回転自在に支持された押えローラと、前記アームを前記回動軸を中心に回動させるアーム駆動手段と、前記破砕装置用油圧モータの負荷圧を検出する圧力検出手段と、この圧力検出手段で検出した負荷圧が設定したしきい値を上回る場合に、前記アームを前記送りコンベアから離間させるように前記アーム駆動手段を制御する制御手段とを備えるものとする。
【００１０】
本発明においては、送りコンベアにより破砕装置に導入される被破砕木材を、破砕装置の上部に設けた回動軸を中心として回動可能に設けたアームにより送りコンベアの上方に回転自在に支持された押えローラで押圧することにより、この押えローラと送りコンベアとで協働して被破砕木材を押圧把持し、破砕装置へと押し込み導入する。
【００１１】
このような構造の場合、押えローラを支持するアームと破砕装置との隙間に木材が入って滞留し、この滞留した木材が押えローラ及びアームの自重により破砕装置に押し付けられ、それが原因となって破砕装置が過負荷状態となる場合がある。このような場合に、前述の特許文献２記載の従来技術のように、送りコンベア及び押えローラを逆転させても、アームと破砕ロータとの隙間に滞留した木材は除去されないため、破砕装置の過負荷状態が解消されない恐れがあった。
【００１２】
これに対し、本発明においては、圧力検出手段で検出した破砕装置用油圧モータの負荷圧としきい値を比較することにより破砕装置の過負荷状態を検出すると、制御手段によってアームを送りコンベアから離間させるようにアーム駆動手段を制御する。このようにアームを送りコンベアから離間させることにより、アームと破砕装置との隙間が開放され、この隙間に滞留した木材を除去することができる。その結果、滞留していた木材による破砕ロータへの押し付けを解消できるので、破砕装置の過負荷状態を確実に解消することができる。
【００１３】
（２）上記（１）において、好ましくは、前記制御手段は、前記アームを前記送りコンベアから離間させ、その状態で保持するように前記アーム駆動手段を制御するものとする。
これにより、アームと破砕装置との隙間に滞留した木材を確実に除去することができる。
【００１４】
（３）上記（２）において、さらに好ましくは、前記アームの回動角度を検出する角度検出手段を備え、前記制御手段は、前記角度検出手段で検出した前記アームの回動角度が設定角度となったときに、前記アームを保持するものとする。
【００１５】
（４）上記（１）において、また好ましくは、前記制御手段は、前記アームが前記送りコンベアに対し離間、近接を繰り返すように前記アーム駆動手段を制御するものとする。
これにより、アームと破砕装置との隙間に堅固にひっかかっているような滞留物であっても確実に除去することができる。
【００１６】
（５）上記（４）において、さらに好ましくは、前記アームの回動角度を検出する角度検出手段を備え、前記制御手段は、前記角度検出手段で検出した前記アームの回動角度が設定角度となったときに、前記アームの回動方向を反転させるものとする。
【００１７】
（６）上記（１）乃至（５）のいずれかにおいて、また好ましくは、前記制御手段は、前記アームが前記送りコンベアから離間するように前記アーム駆動手段を制御した後、前記圧力検出手段で検出した負荷圧が前記しきい値を下回った場合には、前記アームを元の状態に復帰させるように前記アーム駆動手段を制御するものとする。
これにより、破砕装置の過負荷状態が解消された際には、迅速にアームを元の状態に復帰させて再び破砕作業を再開することができる。
【００１８】
（７）上記（６）において、さらに好ましくは、前記制御手段は、前記アームを前記送りコンベアから離間させた後元の状態に復帰させるまでの間、前記送りコンベア及び前記押えローラを停止するように制御するものとする。
これにより、アームが送りコンベアから離間されている間（すなわちアームと破砕装置との隙間が開放されている間）に被破砕木材が破砕装置に導入されるのを防止できるので、破砕装置の過負荷状態を確実に解消することができる。
【発明の効果】
【００１９】
本発明によれば、破砕装置が過負荷状態となったときに、アームを送りコンベアから離間させるようにアーム駆動手段を制御手段で制御する。これにより、アームと破砕ロータとの隙間を開放し、この隙間に滞留した木材を除去することができる。したがって、破砕装置の過負荷状態を確実に解消することができる。
【発明を実施するための最良の形態】
【００２０】
以下、本発明の木材破砕機の一実施の形態を図面を参照しつつ説明する。
図１は本発明の木材破砕機の一実施の形態である自走式木材破砕機の全体構造を表す側面図、図２は図１に示した自走式木材破砕機の上面図、図３は後述する破砕装置１２近傍の側面カバー１９内部の詳細構造を表す側面図である。なお、以下において、図１中の左・右に対応する方向を木材破砕機の後・前、又は一方・他方とする。
【００２１】
これら図１乃至図３において、１は自力走行を可能にする走行体、２はこの走行体１上に設けられ受け入れた被破砕木材を破砕する破砕機能構成部、３はこの破砕機能構成部２で破砕された破砕物を搬送し機外に排出する排出コンベア、４は搭載した各機器の動力源であるエンジン１６１（後述の図１１参照）等を備えた動力装置（パワーユニット）で、本例の自走式木材破砕機は、これら走行体１、破砕機能構成部２、排出コンベア３、動力装置４等によって概略構成されている。
【００２２】
上記走行体１は、トラックフレーム５と、このトラックフレーム５の前後両端部に設けた駆動輪６及び従動輪７と、出力軸を駆動輪６の軸に連結した駆動装置（走行用油圧モータ）８と、駆動輪６及び従動輪７に掛け回した履帯（無限軌道履帯）９とで構成されている。また、３０は上記トラックフレーム５上に設けた本体フレームで、この本体フレーム３０によって、上記破砕機能構成部２や排出コンベア３、動力装置４等が支持されている。
【００２３】
上記破砕機能構成部２は、投入される被破砕木材を受け入れるホッパ１０と、このホッパ１０内に収容配置された被破砕木材の搬送手段としての送りコンベア１１（図２参照）と、この送りコンベア１１によって導入された被破砕木材を破砕する破砕装置１２（図３参照）と、この破砕装置１２の手前で破砕装置１２に導入される被破砕木材を送りコンベア１１に押し付ける押圧ローラ装置１３（図３参照）とを備えている。
【００２４】
送りコンベア１１は、破砕ロータ３２（後述）側に設けられたスプロケット状の駆動輪１５と、その反対側（木材破砕機後方側）に設けた図示しない従動輪と、これら搬送方向両端部に設けた駆動輪１５及び従動輪の間に巻回され、幅方向に複数列（この例では４列、図２参照）列設された搬送体（搬送ベルト、チェーンベルト）１６とを備えている。
【００２５】
従動輪は、ホッパ１０の側壁体１７（図１参照）後部に設けた軸受１８（図１参照）によって支持され、駆動輪１５は、側壁体１７の前方側に設けた破砕装置１２の側面カバー１９（図３参照）に設けた軸受（図示せず）によって支持されている。これにより、送りコンベア１１は、上記ホッパ１０内の下部、すなわちホッパ１０の側壁体１７の内側から破砕ロータ３２（後述）近傍にかけ、ほぼ水平に延設されホッパ１０及び破砕装置１２の側面カバー１９内に収納配置されている。
【００２６】
送りコンベア１１の駆動輪１５の回転軸２０は、軸受よりも幅方向外側に設けた駆動装置（送りコンベア用油圧モータ１４。後述の図１０参照）の出力軸にカップリング等を介して連結している。送りコンベア１１は、その図示しない駆動装置を回転駆動させることにより、駆動輪１５及び従動輪の間で搬送体１６を循環駆動させるようになっている。
【００２７】
前述の押圧ローラ装置１３は、破砕ロータ３２（後述）の後方側に近接するように、被破砕木材を搬送する送りコンベア１１の搬送面に対向して設けられている。この押圧ローラ装置１３は、破砕装置１２の上方において本体カバー１９に設けた軸受２１によってその回動軸２２が軸支され、これにより鉛直面内を回動自在に（上下方向に揺動自在に）支持された支持部材（アーム）２３と、この支持部材２３に対し回転自在に設けられた押えローラ２４とを備えている。
【００２８】
支持部材２３は、回動軸２２を備えたアーム部２５と、このアーム部２５の先端側に設けられ、押えローラ２４を支持しているブラケット部２６とを備えている。アーム部２５の下部側の端面は円弧状に湾曲して形成されており、この湾曲部には、後述する破砕室３１の一部を構成する湾曲板２７が取付けられている。一方、ブラケット部２６における押えローラ２４の取付け部分は、押えローラ２４よりも小径の円弧状に形成されており、押えローラ２４の外周面がブラケット部２６から突出した構成となっている。押えローラ２４の幅方向（図３中の紙面直交方向）の寸法は、送りコンベア１１の搬送面の幅と同等かそれよりも大きく設定されている。
【００２９】
特に図示していないが、押えローラ２４は、その胴部内に駆動装置（押えローラ用油圧モータ１６０。後述の図１０参照）を内蔵しており、この図示しない駆動装置によって、送りコンベア１１の搬送面に転動する方向に被破砕木材の搬送速度とほぼ同じ周速度で回転し、押え込んだ送りコンベア１１上の被破砕木材を送りコンベア１１と協動して破砕装置１２に導入するようになっている。
【００３０】
２８は上記構成の押圧ローラ装置１３を上げ下げさせるための油圧シリンダ（アーム駆動手段）で、そのボトム側先端部は破砕機側面カバー１９側に固定したブラケット２９にピン５３を介して回動可能に連結され、そのロッド側先端部はアーム部２５の後方側（図３中左側）先端部に設けられたブラケット５４にピン８２を介して回動可能に連結されている。この油圧シリンダ２８により、押圧ローラ装置１３を回動軸２２を中心に回動させ、送りコンベア１１（破砕装置１２）に対し上げ下げ（言い換えれば、破砕装置１２に対し離間又は近接）させることが可能なようになっている（詳細は後述）。なお、８９は上記回動軸２２に設けられアーム部２５の回動角度を検出する角度センサ（角度検出手段）である。この角度センサ８９は、検出したアーム部２５の回動角度θを後述のコントローラ８４に出力するようになっている。
【００３１】
破砕装置１２は、本体フレーム３０（図１参照）の長手方向ほぼ中央部上に搭載されており、図３に示すように、破砕室３１内で高速回転する破砕ロータ３２と、この破砕ロータ３２の回転方向（正転方向、図３中時計回り方向）に対向するように配置したアンビル（固定刃）３３を備えている。詳細は後述するが、アンビル３３は、例えば過度な衝撃が加わった場合等には、破砕ロータ３２の正転方向に倣う方向に退避するように回動可能な構成となっている（図６参照）。
【００３２】
破砕ロータ３２は、例えば破砕装置１２の側面カバー１９（又は本体フレーム３０上に別途設けた図示しない支持部材）等に設けた軸受（図示せず）によって回転自在に軸支されており、その外周部には、複数の支持部材３４と、これら支持部材３４にそれぞれ取り付けられた破砕ビット（衝突板、或いは破砕刃等）３５とが設けられている。破砕ビット３５は、破砕ロータ３２が正転方向に回転する際にその刃面が支持部材３４に先行するように配置されている。また、各破砕ビット３５は、ボルト３８等によって支持部材３４に固定され、摩耗した場合にも容易に交換可能な構成となっている。なお、破砕ロータ３２を回転駆動させる駆動装置（破砕装置用油圧モータ１２１。後述の図９参照）の出力軸と破砕ロータ３２の回転軸とは、Ｖベルト等を介して連結されている。
【００３３】
前述した破砕室３１は、破砕ロータ３２に対し、上方側に設けた前述の湾曲板２７や、前方側及び下方側にそれぞれ設けられ、破砕木材（木材チップ）の粒度を設定する口径で開口した多数の孔を有する第１スクリーン３９及び第２スクリーン４０等によって概ね画定され、その後方側は被破砕木材導入部として解放されている。湾曲板２７は、前述したように押えコンベア装置１３のアーム部２５の湾曲部に取付けられており、前記した押えコンベア装置１３の上下の回動動作に伴って可動する構成となっている。この湾曲板２７と同様、第１及び第２スクリーン３９，４０は、破砕作業時、破砕ビット３５との間にそれぞれ所定の間隙を介して破砕ロータ３２の回転軌跡にほぼ沿うように曲面状に形成され、着脱可能（交換可能）に配設される（詳細は後述）。
【００３４】
図４及び図５はアンビル３３及び第１スクリーン３９付近の構成を抽出しそれらの可動機構の詳細を一部断面で表す側面図で、これらの図において、先の各図と同様の部分には同符号を付し説明を省略する。
【００３５】
図４及び図５において、４１は幅方向（図４及び図５中の紙面に垂直な方向）に一対設けられたアームで、これらアーム４１，４１は、回動軸４２、支持部材４３、スクリーン支持部材４４、ガイド部材４５、及び連結部材４６等よって連結されており、破砕機側面カバー１９の外壁面に設けた軸受４７によって回動軸４２が支持されることにより、回動軸４２を支点に回動可能な構成となっている。なお、回動軸４２の向きは、破砕ロータ３２の回転軸とほぼ平行である。
【００３６】
アーム４１は、その前端部が破砕機側面カバー１９に固定した支持部材４８（図３参照）にシアピン４９（図３参照）を介して連結されることにより、破砕作業時（例えば図３の状態のとき）には、アンビル３３が破砕ロータ３２の破砕ビット３５の回転軌跡（図示せず）近傍に配置されるような姿勢で固定、保持されている。そして、アンビル３３に、シアピン４９の許容を超えた衝撃荷重がかかった場合等は、シアピン４９が破断してアーム４１の拘束が解かれ、アーム４１が回動軸４２を支点に回動して破砕室３１から退避するようになっており、各部の損傷が防止される。このときの状態を図３に対応させて図６に示す。なお、５０は上記支持部材４８に対して固定されたストッパであり、この図６に示すように、このストッパ５０によりアンビル３３の退避方向へのアーム４１の回動範囲が制限され、アーム４１と他の構成部材との干渉を防止するようになっている。
【００３７】
なお、このときのアーム４１の回動動作は図示しないリミットスイッチ等により検出されるようになっており、検出時にはコントローラ８４（後述の図１１参照）によって破砕ロータ３２の駆動装置を停止させる指令信号が出力されるようになっている。
【００３８】
図４及び図５に戻り、アーム４１，４１間の後方側には上記の支持部材４３が設けられており、この支持部材４３にアンビル３３が保護部材５１及び係止部材５２を介して図示しないボルトによって交換可能に設けられている。またアーム４１，４１間の下方側には上記の枠型のスクリーン支持部材（スクリーンホルダ）４４が設けられており、このスクリーン支持部材４４上に第１スクリーン３９が交換可能に載置される。
【００３９】
５５は第１スクリーン３９に当接する当接部材、５６はロッド側端部を当接部材５５にピン５７を介して回動可能に連結され、ボトム側端部を連結部材４６に設けたブラケット５８にピン５９を介して回動可能に連結された油圧シリンダであり、これら当接部材５５及び油圧シリンダ５６は幅方向（図４及び図５中の紙面に垂直な方向）に例えば一対設けられている（さらに多数設置してもよい）。当接部材５５は、油圧シリンダ５６により第１スクリーン３９に対して前記のガイド部材４５によってガイドされる方向に沿って進退するように移動される。
【００４０】
上記構成により、破砕作業時には、図４に示すように油圧シリンダ５６を伸長させて当接部材５５を第１スクリーン３９とガイド部材４５との間に楔状に押し込み、第１スクリーン３９を固定する。一方、スクリーン交換時には、図５に示すように油圧シリンダ５６を縮短させて当接部材５５を第１スクリーン３９から離間させる。その結果、第１スクリーン３９は破砕ロータ３２の軸線方向に引き抜き可能となり、第１スクリーン３９を容易に交換できる構成となっている。
【００４１】
このとき、アーム４１にはこの第１スクリーン３９の交換作業に配慮して第１スクリーン３９の引き出し、挿入用の開口部６１（図３参照）が形成されており、さらに、破砕機側面カバー１９にも同様に第１スクリーン３９の交換作業に配慮して設けた開口部６２（図３参照）が形成されている。作業者は、これら開口部６１，６２を介して第１スクリーン３９を破砕ロータ３２の軸線方向に引き出し、又は挿入できるようになっている。なお、特に図示していないが、破砕機側面カバー１９の開口部６２には、例えばボルト着脱式のカバー等が取付けられる。
【００４２】
なお、図示しないリミットスイッチ等により当接部材５５の位置状態（油圧シリンダ５６の伸縮状態）を検出し、離間を検出した際にはコントローラ８４（後述の図１１参照）によって破砕ロータ３２の駆動装置の駆動を許可しない指令信号が出力されるように構成してもよい。
【００４３】
図３に戻り、６３は前記の第２スクリーン４０を破砕ロータ３２の外周側位置に保持する枠型のスクリーン支持部材（スクリーンホルダ）である。このスクリーン支持部材６３は、その周方向（破砕ロータ３２の周方向）一方側（図３では左側）端部に設けた回動軸６４が破砕機側面カバー１９（又は本体フレーム３０上に別途設けた図示しない支持部材）に固定した軸受６５によって支持され、上下方向に回動する構成となっている。
【００４４】
６６はボトム側端部を本体カバー１９側に固定されたブラケット６７にピン６８を介して回動可能に連結された油圧シリンダ、６９はこの油圧シリンダ６６の伸縮動作をスクリーン支持部材６３の破砕ロータ３２に対する進退動作に変換するリンク機構である。リンク機構６９は、油圧シリンダ６６のロッド側端部に設けられ、油圧シリンダ６６の伸縮方向に沿って移動するスライドリンク７０と、一方側端部（図３中上側端部）を上記スクリーン支持部材６３の周方向他方側端部（図３中右側端部）に回動可能に連結され、他方側端部（図３中下側端部）をピン７１を介してスライドリンク７０と回動自在に連結された保持リンク７２とを備えている。また、７３は上記スライドリンク７０の移動方向をガイドすると共に、スライドリンク７０が保持リンク７２から受ける縦荷重を支持するガイド部材である。
【００４５】
図７は、前述した第１スクリーン３９及び第２スクリーン４０付近の構成を抽出しその可動機構の詳細を一部断面で表す側面図で、この図において、先の各図と同様の部分には同符号を付し説明を省略する。
【００４６】
図７に示すように、破砕作業時には、油圧シリンダ６６が伸長してリンク機構６９のスライドリンク７０と保持リンク７２とがほぼ直角に折れ曲がった状態となり、スクリーン支持部材６３が破砕ロータ３２に最も近づいた位置に位置する状態となる。この状態から油圧シリンダ６６が縮短するにつれてスライドリンク７０と保持リンク７２とが回動して徐々に開き、スクリーン支持部材６３が徐々に破砕ロータ３２から離間する方向に移動する（下降する）。そして、油圧シリンダ６６が最も縮短した状態になると、スライドリンク７０と保持リンク７２とがほぼ伸びきった状態となり、スクリーン支持部材６３が破砕ロータ３２から最も遠い位置に位置する状態となる。この状態を図７に対応して図８に示す。これにより、第２スクリーン４０は破砕ロータ３２の軸線方向に引き抜き可能となり、第２スクリーン４０を容易に交換できる構成となっている。
【００４７】
このとき、破砕機側面カバー１９には第２スクリーン４０の交換作業に配慮して設けた切り欠き部７４（図３参照）が形成されている。作業者は、この切り欠き部７４を介して第２スクリーン４０を破砕ロータ３２の軸線方向に引き出し、又は挿入できるようになっている。なお、特に図示していないが、この切り欠き部７４には、例えばボルト着脱式のカバー等が取付けられる。
【００４８】
また、図示しないリミットスイッチ等によりスクリーン支持部材６３の位置状態（油圧シリンダ６６の伸縮状態）を検出し、破砕ロータ３２からの離間を検出した際にはコントローラ８４（後述の図１１参照）によって破砕ロータ３２の駆動装置の駆動を許可しない指令信号が出力されるように構成してもよい。
【００４９】
図１及び図２に戻り、排出コンベア３は、排出側（前方側、図１及び図２中右側）部分が、動力装置４から突出して設けた支持部材７５によって吊り下げ支持されている。また、その反対側（後方側、図１及び図２中左側）部分は、支持部材７６を介して本体フレーム３０から吊り下げ支持されている。これにより、排出コンベア３は、破砕装置１２の下方から動力装置４の下方を通され、自走式木材破砕機前方側外方へ上り傾斜で配置されている。７７はこの排出コンベア３のフレーム、７８はこのフレーム７７の長手方向両端に設けた駆動輪（図示せず）と従動輪（図示せず）との間に巻回したコンベアベルト（図示せず）上に設けたコンベアカバーである。７９は駆動輪を回転駆動させる駆動装置（排出コンベア用油圧モータ）で、この駆動装置７９を回転駆動させることにより、駆動輪及び従動輪の間でコンベアベルトを循環駆動させるようになっている。
【００５０】
また、上記の動力装置４は、本体フレーム３０の長手方向他方側（図１及び図２中右側）端部上に、支持部材８０を介して搭載されている。この動力装置４の後方側でかつ幅方向一方側（図２中下側）の区画には、運転席８１が設けられている。３６ａ，３７ａはこの運転席８１に設けた走行操作用の操作レバー、８３はその他の操作や設定、モニタリング等を行うための操作盤である（詳細は後述の図１２参照）。操作盤８３は、本例では地上から作業者が操作し易いよう機体の側部に設けられているが、運転席８１に設けても構わない。
【００５１】
ここで、上記走行体１、排出コンベア３、送りコンベア１１、破砕装置１２、押圧ローラ装置１３、及び油圧シリンダ２８等は、この自走式木材破砕機に備えられる油圧駆動装置によって駆動される被駆動部材を構成している。図９乃至図１１は、本発明の木材破砕機の一実施の形態に備えられる油圧駆動装置の全体構成を表す油圧回路図である。
【００５２】
これら図９乃至図１１において、油圧駆動装置は、エンジン１６１と、このエンジン１６１によって駆動される可変容量型の第１油圧ポンプ１６２及び第２油圧ポンプ１６３と、同様にエンジン１６１によって駆動される固定容量型のパイロットポンプ１６４と、第１及び第２油圧ポンプ１６２，１６３から吐出される圧油がそれぞれ供給される破砕装置用油圧モータ１２１、左・右走行用油圧モータ８Ｌ，８Ｒ、送りコンベア用油圧モータ（搬送手段用油圧モータ）１４、排出コンベア用油圧モータ７９、押えローラ用油圧モータ１６０、及び油圧シリンダ２８と、第１及び第２油圧ポンプ１６２，１６３からこれら油圧モータ１２１，８Ｌ，８Ｒ，１４，７９，１６０，２８に供給される圧油の流れ（方向及び流量、若しくは流量のみ）をそれぞれ制御する６つのコントロールバルブ１６５，１６６，１６７，１６８，１６９，１７０，１８５と、前記の運転席８１に設けられ、左・右走行用コントロールバルブ１６６，１６７をそれぞれ切り換え操作するための前記左・右走行用操作レバー３６ａ，３７ａと、第１及び第２油圧ポンプ１６２，１６３の吐出流量をそれぞれ調整する制御手段、例えばレギュレータ装置１７１，１７２と、例えば運転席８１内に設けられ、破砕装置１２、送りコンベア１１、排出コンベア３、及び押圧ローラ装置１３の始動・停止等を作業者が指示入力して操作するための前記操作盤８３とを有している。
【００５３】
上記７つのコントロールバルブ１６５〜１７０，１８５は、２位置切換弁又は３位置切換弁であり、破砕装置用油圧モータ１２１に接続された破砕装置用コントロールバルブ１６５と、左走行用油圧モータ８Ｌに接続された左走行用コントロールバルブ１６６と、右走行用油圧モータ８Ｒに接続された右走行用コントロールバルブ１６７と、送りコンベア用油圧モータ１４に接続された送りコンベア用コントロールバルブ１６８と、排出コンベア用油圧モータ７９に接続された排出コンベア用コントロールバルブ１６９と、押えローラ用油圧モータ１６０に接続された押えローラ用コントロールバルブ１７０と、油圧シリンダ２８に接続された油圧シリンダ用コントロールバルブ１８５とから構成されている。
【００５４】
このとき、第１及び第２油圧ポンプ１６２，１６３のうち、第１油圧ポンプ１６２は、左走行用コントロールバルブ１６６及び破砕装置用コントロールバルブ１６５を介して左走行用油圧モータ８Ｌ及び破砕装置用油圧モータ１２１へ供給するための圧油を吐出するようになっている。これらコントロールバルブ１６５，１６６はいずれも、対応する油圧モータ１２１，８Ｌへの圧油の方向及び流量を制御可能な３位置切換弁となっており、第１油圧ポンプ１６２の吐出管路１７４に接続されたセンターバイパスライン１７５において、上流側から、左走行用コントロールバルブ１６６、破砕装置用コントロールバルブ１６５の順序で配置されている。なお、センターバイパスライン１７５の最下流側には、ポンプコントロールバルブ１７６（詳細は後述）が設けられている。
【００５５】
一方、第２油圧ポンプ１６３は、右走行用コントロールバルブ１６７、送りコンベア用コントロールバルブ１６８、排出コンベア用コントロールバルブ１６９、押えローラ用コントロールバルブ１７０、及び油圧シリンダ用コントロールバルブ１８５を介し、右走行用油圧モータ８Ｒ、送りコンベア用油圧モータ１４、排出コンベア用油圧モータ７９、押えローラ用油圧モータ１６０、及び油圧シリンダ２８へ供給するための圧油を吐出するようになっている。これらのうちコントロールバルブ１６７，１６８，１７０，１８５は対応する油圧モータ８Ｒ，１４，１６０，２８への圧油の流れを制御可能な３位置切換弁となっており、その他のコントロールバルブ１６９は対応する油圧モータ７９への圧油の流量を制御可能な２位置切換弁となっており、第２油圧ポンプ１６３の吐出管路１７７に接続されたセンターバイパスライン１７８ａ及びこれの下流側にさらに接続されたセンターライン１７８ｂにおいて、上流側から、右走行用コントロールバルブ１６７、油圧シリンダ用コントロールバルブ１８５、押えローラ用コントロールバルブ１７０、排出コンベア用コントロールバルブ１６９、及び送りコンベア用コントロールバルブ１６８の順序で配置されている。なお、センターライン１７８ｂは、最下流側の送りコンベア用コントロールバルブ１６８の下流側で閉止されている。
【００５６】
上記コントロールバルブ１６５〜１７０，１８５のうち、左・右走行用コントロールバルブ１６６，１６７はそれぞれ、パイロットポンプ１６４で発生されたパイロット圧を用いて操作されるセンターバイパス型のパイロット操作弁である。これら左・右走行用コントロールバルブ１６６，１６７は、パイロットポンプ１６４で発生され前述の操作レバー３６ａ，３７ａを備えた操作レバー装置３６，３７で所定圧力に減圧されたパイロット圧により操作される。
【００５７】
すなわち、操作レバー装置３６，３７は、操作レバー３６ａ，３７ａとその操作量に応じたパイロット圧を出力する一対の減圧弁３６ｂ，３６ｂ及び３７ｂ，３７ｂとを備えている。操作レバー装置３６の操作レバー３６ａを図９中ａ方向（又はその反対方向、以下対応関係同じ）に操作すると、パイロット圧がパイロット管路１７９（又はパイロット管路１８０）を介して左走行用コントロールバルブ１６６の駆動部１６６ａ（又は駆動部１６６ｂ）に導かれ、これによって左走行用コントロールバルブ１６６が図９中上側の切換位置１６６Ａ（又は下側の切換位置１６６Ｂ）に切り換えられ、第１油圧ポンプ１６２からの圧油が吐出管路１７４、センターバイパスライン１７５、及び左走行用コントロールバルブ１６６の切換位置１６６Ａ（又は下側の切換位置１６６Ｂ）を介して左走行用油圧モータ８Ｌに供給され、左走行用油圧モータ８Ｌが正転方向（又は逆転方向）に駆動される。
【００５８】
なお、操作レバー３６ａを図９に示す中立位置にすると、左走行用コントロールバルブ１６６はばね１６６ｃ，１６６ｄの付勢力で図９に示す中立位置に復帰し、左走行用油圧モータ８Ｌは停止する。
【００５９】
同様に、操作レバー装置３７の操作レバー３７ａを図９中ｂ方向（又はその反対方向）に操作すると、パイロット圧がパイロット管路１８１（又はパイロット管路１８２）を介し右走行用コントロールバルブ１６７の駆動部１６７ａ（又は駆動部１６７ｂ）に導かれて図９中上側の切換位置１６７Ａ（又は下側の切換位置１６７Ｂ）に切り換えられ、右走行用油圧モータ８Ｒが正転方向（又は逆転方向）に駆動されるようになっている。操作レバー３７ａを中立位置にするとばね１６７ｃ，１６７ｄの付勢力で右走行用コントロールバルブ１６７は中立位置に復帰し右走行用油圧モータ８Ｒは停止する。
【００６０】
ここで、パイロットポンプ１６４からのパイロット圧を操作レバー装置３６，３７に導くパイロット導入管路１８３ａ，１８３ｂには、コントローラ（制御手段）８４からの駆動信号Ｓt（後述）で切り換えられるソレノイド制御弁８５が設けられている。このソレノイド制御弁８５は、ソレノイド８５ａに入力される駆動信号ＳtがＯＮになると図１１中左側の連通位置８５Ａに切り換えられ、パイロットポンプ１６４からのパイロット圧を導入管路１８３ａ，１８３ｂを介し操作レバー装置３６，３７に導き、操作レバー３６ａ，３７ａによる左・右走行用コントロールバルブ１６６，１６７の上記操作を可能とする。
【００６１】
一方、駆動信号ＳtがＯＦＦになると、ソレノイド制御弁８５はばね８５ｂの復元力で図１１中右側の遮断位置８５Ｂに復帰し、導入管路１８３ａと導入管路１８３ｂとを遮断すると共に導入管路１８３ｂをタンク８６へのタンクライン８６ａに連通させ、この導入管路１８３ｂ内の圧力をタンク圧とし、操作レバー装置３６，３７による左・右走行用コントロールバルブ１６６，１６７の上記操作を不可能とするようになっている。
【００６２】
破砕装置用コントロールバルブ１６５は、両端にソレノイド駆動部１６５ａ，１６５ｂを備えたセンターバイパス型の電磁比例弁である。ソレノイド駆動部１６５ａ，１６５ｂには、コントローラ８４からの駆動信号Ｓcrで駆動されるソレノイドがそれぞれ設けられており、破砕装置用コントロールバルブ１６５はその駆動信号Ｓcrの入力に応じて切り換えられるようになっている。
【００６３】
すなわち、駆動信号Ｓcrが破砕装置１２の正転（又は逆転、以下、対応関係同じ）に対応する信号、例えばソレノイド駆動部１６５ａ及び１６５ｂへの駆動信号ＳcrがそれぞれＯＮ及びＯＦＦ（又はソレノイド駆動部１６５ａ及び１６５ｂへの駆動信号ＳcrがそれぞれＯＦＦ及びＯＮ）になると、破砕装置用コントロールバルブ１６５が図９中上側の切換位置１６５Ａ（又は下側の切換位置１６５Ｂ）に切り換えられる。これにより、第１油圧ポンプ１６２からの圧油が吐出管路１７４、センターバイパスライン１７５、及び破砕装置用コントロールバルブ１６５の切換位置１６５Ａ（又は下側の切換位置１６５Ｂ）を介して破砕装置用油圧モータ１２１に供給され、破砕装置用油圧モータ１２１が正転方向（又は逆転方向）に駆動される。
【００６４】
駆動信号Ｓcrが破砕装置１２の停止に対応する信号、例えばソレノイド駆動部１６５ａ及び１６５ｂへの駆動信号ＳcrがともにＯＦＦになると、コントロールバルブ１６５がばね１６５ｃ，１６５ｄの付勢力で図９に示す中立位置に復帰し、破砕装置用油圧モータ１２１は停止する。
【００６５】
ポンプコントロールバルブ１７６は、流量を圧力に変換する機能を備えるものであり、前記のセンターバイパスライン１７５とタンクライン８６ｂとを絞り部分１７６ａａを介して接続・遮断可能なピストン１７６ａと、このピストン１７６ａの両端部を付勢するばね１７６ｂ，１７６ｃと、前記のパイロットポンプ１６４の吐出管路８７にパイロット導入管路８８ａ（後述）及びパイロット導入管路８８ｃ（同）を介して上流側が接続されてパイロット圧が導かれ、下流側がタンクライン８６ｃに接続され、かつ前記のばね１７６ｂによってリリーフ圧が可変に設定される可変リリーフ弁１７６ｄとを備えている。
【００６６】
このような構成により、ポンプコントロールバルブ１７６は以下のように機能する。すなわち、上述したように左走行用コントロールバルブ１６６及び破砕装置用コントロールバルブ１６５はセンターバイパス型の弁となっており、センターバイパスライン１７５を流れる流量は、各コントロールバルブ１６６，１６５の操作量（すなわちスプールの切換ストローク量）により変化する。各コントロールバルブ１６６，１６５の中立時、すなわち第１油圧ポンプ１６２へ要求する各コントロールバルブ１６６，１６５の要求流量（言い換えれば左走行用油圧モータ８Ｌ及び破砕装置用油圧モータ１２１の要求流量）が少ない場合には、第１油圧ポンプ１６２から吐出される圧油のうちほとんどが余剰流量としてセンターバイパスライン１７５を介してポンプコントロールバルブ１７６に導入され、比較的大きな流量の圧油がピストン１７６ａの絞り部分１７６ａａを介してタンクライン８６ｂへ導出される。これにより、ピストン１７６ａは図９中右側に移動するので、ばね１７６ｂによるリリーフ弁１７６ｄの設定リリーフ圧が低くなり、管路８８ｃから分岐して設けられ後述のネガティブ傾転制御用の第１サーボ弁１３１へ至る管路９０に、比較的低い制御圧力（ネガコン圧）Ｐc1を発生する。
【００６７】
逆に、各コントロールバルブ１６６，１６５が操作されて開状態となった場合、すなわち第１油圧ポンプ１６２へ要求する要求流量が多い場合には、センターバイパスライン１７５に流れる前記余剰流量は、油圧モータ８Ｌ，１２１側へ流れる流量分だけ減じられるため、ピストン絞り部分１７６ａａを介しタンクライン８６ｂへ導出される圧油流量は比較的小さくなり、ピストン１７６ａは図９中左側に移動してリリーフ弁１７６ｄの設定リリーフ圧が高くなるので、管路９０の制御圧力Ｐc1は高くなる。
【００６８】
本実施の形態では、後述するように、この制御圧力（ネガコン圧）Ｐc1の変動に基づき、第１油圧ポンプ１６２の斜板１６２Ａの傾転角を制御するようになっている（詳細は後述）。
【００６９】
１３８，１３９は圧力センサ（圧力検出手段）であり、これら圧力センサ１３８及び１３９は、第１油圧ポンプ１６２の吐出管路１７４から分岐して設けた導圧管路１４０と第２油圧ポンプ１６３の吐出管路１７７から分岐して設けた導圧管路１４１とにそれぞれ設けられている（あるいは、図１１中２点鎖線にて示すように後述の吐出圧検出管路１３６ｂ，１３７ｃ等に設けてもよい）。これらの圧力センサ１３８，１３９は、検出した第１及び第２油圧ポンプ１６２，１６３の吐出圧Ｐ1，Ｐ2をコントローラ８４にそれぞれ出力するようになっている。
【００７０】
また、第１及び第２油圧ポンプ１６２，１６３の吐出管路１７４，１７７から分岐した管路９１，９２には、リリーフ弁９３及びリリーフ弁９４がそれぞれ設けられており、第１及び第２油圧ポンプ１６２，１６３の吐出圧Ｐ1，Ｐ2の最大値を制限するためのリリーフ圧の値を、それぞれに備えられたばね９３ａ，９４ａの付勢力で設定するようになっている。
【００７１】
送りコンベア用コントロールバルブ１６８は、両端にソレノイド駆動部１６８ａ，１６８ｂを備えたセンターバイパス型の電磁比例弁である。ソレノイド駆動部１６８ａ，１６８ｂには、コントローラ８４からの駆動信号Ｓfで駆動されるソレノイドがそれぞれ設けられており、送りコンベア用コントロールバルブ１６８はその駆動信号Ｓfの入力に応じて切り換えられるようになっている。
【００７２】
すなわち、駆動信号Ｓfが送りコンベア１１の正転（又は逆転、以下、対応関係同じ）に対応する信号、例えばソレノイド駆動部１６８ａ及び１６８ｂへの駆動信号ＳfがそれぞれＯＮ及びＯＦＦ（又はソレノイド駆動部１６８ａ及び１６８ｂへの駆動信号ＳfがそれぞれＯＦＦ及びＯＮ）になると、送りコンベア用コントロールバルブ１６８が図１０中上側の切換位置１６８Ａ（又は下側の切換位置１６８Ｂ）に切り換えられる。
【００７３】
これにより、吐出管路１７７、センターバイパスライン１７８ａ、及びセンターライン１７８ｂを介し導かれた第２油圧ポンプ１６３からの圧油は、切換位置１６８Ａ（又は切換位置１６８Ｂ）に備えられた絞り手段１６８Ａａ（又は絞り手段１６８Ｂａ）から、これに接続する管路９５、この管路９５に設けられた圧力制御弁９６（詳細は後述）、切換位置１６８Ａに備えられたポート１６８Ａｂ（又は切換位置１６８Ｂに備えられたポート１６８Ｂｂ）、及びこのポート１６８Ａｂ（又はポート１６８Ｂｂ）に接続する供給管路を経て、送りコンベア用油圧モータ１４に供給され、この油圧モータ１４が正転駆動（又は逆転駆動）される。駆動信号Ｓfが送りコンベア１１の停止に対応するＯＦＦ信号になると、送りコンベア用コントロールバルブ１６８はばね１６８ｃ，１６８ｄの付勢力で図１０に示す中立位置に復帰し、送りコンベア用油圧モータ１４は停止する。
【００７４】
排出コンベア用コントロールバルブ１６９は、ソレノイド駆動部１６９ａを備えた電磁切換弁である。ソレノイド駆動部１６９ａには、コントローラ８４からの駆動信号Ｓconで駆動されるソレノイドが設けられる。駆動信号Ｓconが排出コンベア３を動作させるＯＮ信号になると、コンベア用コントロールバルブ１６９は図１０中上側の連通位置１６９Ａに切り換えられ、センターライン１７８ｂからの圧油が、切換位置１６９Ａの絞り手段１６９Ａａから、管路９８、圧力制御弁９９（詳細は後述）、切換位置１６９Ａのポート１６９Ａｂ、及びこのポート１６９Ａｂに接続する供給管路を介し排出コンベア用油圧モータ７９に供給されて駆動される。駆動信号Ｓconが排出コンベア３の停止に対応するＯＦＦ信号になると、排出コンベア用コントロールバルブ１６９はばね１６９ｂの付勢力で図１０に示す遮断位置１６９Ｂに復帰し、排出コンベア用油圧モータ７９は停止する。
【００７５】
押えローラ用コントロールバルブ１７０は、上記送りコンベア用コントロールバルブ１６８と同様に、両端にソレノイド駆動部１７０ａ，１７０ｂを備えたセンターバイパス型の電磁比例弁である。ソレノイド駆動部１７０ａ，１７０ｂには、コントローラ８４からの駆動信号Ｓmで駆動されるソレノイドがそれぞれ設けられており、押えローラ用コントロールバルブ１７０はその駆動信号Ｓmの入力に応じて切り換えられるようになっている。
【００７６】
すなわち、駆動信号Ｓmが押圧ローラ装置１３の正転（又は逆転、以下、対応関係同じ）に対応する信号、例えばソレノイド駆動部１７０ａ及び１７０ｂへの駆動信号ＳmがそれぞれＯＮ及びＯＦＦ（又はソレノイド駆動部１７０ａ及び１７０ｂへの駆動信号ＳmがそれぞれＯＦＦ及びＯＮ）になると、押えローラ用コントロールバルブ１７０が図１０中上側の切換位置１７０Ａ（又は下側の切換位置１７０Ｂ）に切り換えられる。
【００７７】
これにより、吐出管路１７７、センターバイパスライン１７８ａ、及びセンターライン１７８ｂを介し導かれた第２油圧ポンプ１６３からの圧油は、切換位置１７０Ａ（又は切換位置１７０Ｂ）に備えられた絞り手段１７０Ａａ（又は絞り手段１７０Ｂａ）から、これに接続する管路１０１、この管路１０１に設けられた圧力制御弁１０２（詳細は後述）、切換位置１７０Ａに備えられたポート１７０Ａｂ（又は切換位置１７０Ｂに備えられたポート１７０Ｂｂ）、及びこのポート１７０Ａｂ（又はポート１７０Ｂｂ）に接続する供給管路を経て、押えローラ用油圧モータ１６０に供給され、この油圧モータ１６０が正転駆動（又は逆転駆動）される。駆動信号Ｓmが押圧ローラ装置１３の停止に対応するＯＦＦ信号になると、押えローラ用コントロールバルブ１７０はばね１７０ｃ，１７０ｄの付勢力で図１０に示す中立位置に復帰し、押えローラ用油圧モータ１６０は停止する。
【００７８】
油圧シリンダ用コントロールバルブ１８５は、両端にソレノイド駆動部１８５ａ，１８５ｂを備えたセンタークローズド型の電磁比例弁である。ソレノイド駆動部１８５ａ，１８５ｂには、コントローラ８４からの駆動信号Ｓcyで駆動されるソレノイドがそれぞれ設けられており、油圧シリンダ用コントロールバルブ１８５はその駆動信号Ｓcyの入力に応じて切り換えられるようになっている。
【００７９】
すなわち、駆動信号Ｓcyが押圧ローラ装置１３の上げ、すなわち油圧シリンダ２８の縮短（又は押圧ローラ装置１３の下げ、すなわち油圧シリンダ２８の伸長、以下、対応関係同じ）に対応する信号、例えばソレノイド駆動部１８５ａ及び１８５ｂへの駆動信号ＳcyがそれぞれＯＮ及びＯＦＦ（又はソレノイド駆動部１８５ａ及び１８５ｂへの駆動信号ＳcyがそれぞれＯＦＦ及びＯＮ）になると、油圧シリンダ用コントロールバルブ１８５が図１０中上側の切換位置１８５Ａ（又は下側の切換位置１８５Ｂ）に切り換えられる。
【００８０】
これにより、吐出管路１７７、センターバイパスライン１７８ａ、及びセンターライン１７８ｂを介し導かれた第２油圧ポンプ１６３からの圧油は、切換位置１８５Ａ（又は切換位置１８５Ｂ）に備えられた絞り手段１８５Ａａ（又は絞り手段１８５Ｂａ）から、これに接続する管路１８６、この管路１８６に設けられた圧力制御弁１９０（詳細は後述）、切換位置１８５Ａに備えられたポート１８５Ａｂ（又は切換位置１８５Ｂに備えられたポート１８５Ｂｂ）、及びこのポート１８５Ａｂ（又はポート１８５Ｂｂ）に接続する供給管路を経て、油圧シリンダ２８のロッド側（又はボトム側）に供給され、この油圧シリンダ２８が縮短（又は伸長）される。
【００８１】
一方、駆動信号Ｓcyが油圧シリンダ２８の停止に対応するＯＦＦ信号になると、油圧シリンダ用コントロールバルブ１８５はばね１８５ｃ，１８５ｄの付勢力で図１０に示す中立位置に復帰し、油圧シリンダ２８は停止する。なおこのとき、油圧シリンダ用コントロールバルブ１８５はセンタークローズド型のバルブであることから、油圧シリンダ２８の動作は固定（ロック）される。
【００８２】
なお、油圧シリンダ２８の供給配管には、コントローラ８４からの駆動信号Ｓlで切り換えられるソレノイド制御弁１８７が設けられている。このソレノイド制御弁１８７は、ソレノイド１８７ａに入力される駆動信号ＳlがＯＮになると図１０中上側のフリー位置１８７Ａに切り換えられ、供給管路中の圧力をタンク圧と等しくして油圧シリンダ２８の伸縮動作をフリー状態とする。一方、ソレノイド１８７ａに入力される駆動信号ＳlがＯＦＦになると、バネ１８７ｂの付勢力により図１０中下側のロック位置１８７Ｂに切り換えられ、油圧シリンダ２８の伸縮動作をロックする。
【００８３】
通常の破砕作業中においては、ソレノイド制御弁１８７がフリー位置１８７Ａに切り換えられて油圧シリンダ２８はフリー状態となっており、これにより押圧ローラ装置１３は自重で押えローラ２４を介して被破砕木材を押圧するようになっている。一方、破砕装置１２が過負荷状態となったときには、コントローラ８４からソレノイド１８７ａに入力される駆動信号ＳlがＯＦＦになりソレノイド制御弁１８７がロック位置１８７Ｂに切り換えられ、その結果、コントローラ８４が油圧シリンダ用コントロールバルブ１８５を開閉させて油圧シリンダ２８を縮短又は伸長駆動するのを可能とする（詳細は後述）。
【００８４】
なお、上記した送りコンベア用油圧モータ１４、排出コンベア用油圧モータ７９、押えローラ用油圧モータ１６０、及び油圧シリンダ２８への圧油の供給に関し、回路保護等の観点から、それぞれの供給管路とタンクライン８６ｂとの間を接続する管路１０４，１０５，１０６，１８８に、それぞれリリーフ弁１０７，１０８，１０９，１８９が設けられている。
【００８５】
ここで、前述した管路９５，９８，１０１，１８６に設けた圧力制御弁９６，９９，１０２，１９０に係わる機能について説明する。
送りコンベア用コントロールバルブ１６８の切換位置１６８Ａの前記ポート１６８Ａｂ（又は切換位置１６８Ｂのポート１６８Ｂｂ。以下、対応関係同じ）、排出コンベア用コントロールバルブ１６９の切換位置１６９Ａの前記ポート１６９Ａｂ、押えローラ用コントロールバルブ１７０の切換位置１７０Ａのポート１７０Ａｂ（又は切換位置１７０Ｂのポート１７０Ｂｂ。以下、対応関係同じ）、及び油圧シリンダ用コントロールバルブ１８５の切換位置１８５Ａのポート１８５Ａｂ（又は切換位置１８５Ｂのポート１８５Ｂｂ。以下、対応関係同じ）には、それぞれ、対応する送りコンベア用油圧モータ１４、排出コンベア用油圧モータ７９、押えローラ用油圧モータ１６０、及び油圧シリンダ２８の負荷圧力をそれぞれ検出するための負荷検出ポート１６８Ａｃ（又は負荷検出ポート１６８Ｂｃ）、負荷検出ポート１６９Ａｃ、負荷検出ポート１７０Ａｃ（又は負荷検出ポート１７０Ｂｃ）、負荷検出ポート１８５Ａｃ（又は負荷検出ポート１８５Ｂｃ）が連通されている。このとき、負荷検出ポート１６８Ａｃ（又は負荷検出ポート１６８Ｂｃ）は負荷検出管路１１０に接続しており、負荷検出ポート１６９Ａｃは負荷検出管路１１１に接続しており、負荷検出ポート１７０Ａｃ（又は負荷検出ポート１７０Ｂｃ）は負荷検出管路１１２に接続しており、負荷検出ポート１８５Ａｃ（又は負荷検出ポート１８５Ｂｃ）は負荷検出管路１９１に接続している。
【００８６】
ここで、送りコンベア用油圧モータ１４の負荷圧力が導かれる前記負荷検出管路１１０と、排出コンベア用油圧モータ７９の負荷圧力が導かれる前記負荷検出管路１１１とは、さらにシャトル弁１１３を介して負荷検出管路１１４に接続され、シャトル弁１１３を介して選択された高圧側の負荷圧力はこの負荷検出管路１１４に導かれるようになっている。またこの負荷検出管路１１４と、押えローラ用油圧モータ１６０の負荷圧力が導かれる前記負荷検出管路１１２とは、シャトル弁１１５を介して負荷検出管路１１６に接続され、シャトル弁１１５で選択された高圧側の負荷圧力は最大負荷検出管路１１６に導かれるようになっている。さらにこの負荷検出管路１１６と、油圧シリンダ２８の負荷圧力が導かれる前記負荷検出管路１９１とは、シャトル弁１９２を介して最大負荷検出管路１９３に接続され、シャトル弁１９２で選択された高圧側の負荷圧力が最大負荷圧力として最大負荷検出管路１９３に導かれるようになっている。
【００８７】
そして、この最大負荷検出管路１９３に導かれた最大負荷圧力は、最大負荷検出管路１９３に接続する管路１１７，１１８，１１９，１２０，１９４を介して、対応する前記圧力制御弁９６，９９，１０２，１９０の一方側にそれぞれ伝達される。このとき、圧力制御弁９６，９９，１０２，１９０の他方側には前記の管路９５，９８，１０１，１８６内の圧力、すなわち絞り手段１６８Ａａ（又は１６８Ｂａ），１６９Ａａ，１７０Ａａ（又は１７０Ｂａ），１８５Ａａ（又は１８５Ｂａ）の下流側圧力が導かれている。
【００８８】
以上により、圧力制御弁９６，９９，１０２，１９０は、コントロールバルブ１６８，１６９，１７０，１８５の絞り手段１６８Ａａ（又は１６８Ｂａ），１６９Ａａ，１７０Ａａ（又は１７０Ｂａ），１８５Ａａ（又は１８５Ｂａ）の下流側圧力と、送りコンベア用油圧モータ１４、排出コンベア用油圧モータ７９、押えローラ用油圧モータ１６０、及び油圧シリンダ２８のうちの最大負荷圧力との差圧に応答して作動し、各油圧モータ１４，７９，１６０及び油圧シリンダ２８の負荷圧力の変化にかかわらず、前記の差圧を一定値に保持するようになっている。すなわち、絞り手段１６８Ａａ（又は１６８Ｂａ），１６９Ａａ，１７０Ａａ（又は１７０Ｂａ），１８５Ａａ（又は１８５Ｂａ）の下流側圧力を、前記の最大負荷圧力よりもばね９６ａ，９９ａ，１０２ａ，１９０ａによる設定圧分だけ高くするようになっている。
【００８９】
一方、第２油圧ポンプ１６３の吐出管路１７７に接続したセンターバイパスライン１７８ａ及びセンターライン１７８ｂから分岐したブリードオフ管路１２１には、ばね１２２ａを備えたリリーフ弁（アンロード弁）１２２が設けられている。このリリーフ弁１２２の一方側には、最大負荷検出管路１９３、これに接続する管路１２３を介し最大負荷圧力が導かれており、またリリーフ弁１２２の他方側にはポート１２２ｂを介しブリードオフ管路１２１内の圧力が導かれている。これにより、リリーフ弁１２２は、管路１２１及びセンターライン１７８ｂ内の圧力を、前記の最大負荷圧力よりもばね１２２ａによる設定圧分だけ高くするようになっている。すなわち、リリーフ弁１２２は、管路１２１及びセンターライン１７８ｂ内の圧力が、最大負荷圧が導かれる管路１２３内の圧力にばね１２２ａのばね力分が加算された圧力になったときに、管路１２１の圧油をポンプコントロールバルブ１２４を介してタンク８６へと導くようになっている。以上の結果、第２油圧ポンプ１６３の吐出圧が最大負荷圧よりもばね１２２ａによる設定圧分だけ高くなるロードセンシング制御が実現される。
なお、このときばね１２２ａで設定されるリリーフ圧は、前述したリリーフ弁９３及びリリーフ弁９４の設定リリーフ圧よりも小さい値に設定されている。
【００９０】
そして、ブリードオフ管路１２１のリリーフ弁１２２より下流側には、前記のポンプコントロールバルブ１７６と同様の流量−圧力変換機能をもつポンプコントロールバルブ１２４が設けられており、タンクライン８６ｄに接続されるタンクライン８６ｅと管路１２１とを絞り部分１２４ａａを介して接続・遮断可能なピストン１２４ａと、このピストン１２４ａの両端部を付勢するばね１２４ｂ，１２４ｃと、前記のパイロットポンプ１６４の吐出管路８７にパイロット導入管路８８ａ及びパイロット導入管路８８ｂを介して上流側が接続されてパイロット圧が導かれ、下流側が上記タンクライン８６ｅに接続され、かつ前記のばね１２４ｂによってリリーフ圧が可変に設定される可変リリーフ弁１２４ｄとを備えている。
【００９１】
このような構成により、破砕作業時において、ポンプコントロールバルブ１２４は以下のように機能する。すなわち、上述したようにセンターライン１７８ｂの最下流側端は閉止されており、また破砕作業時には後述のように右走行用コントロールバルブ１６７は操作されないため、センターライン１７８ｂを流れる圧油の圧力は、送りコンベア用コントロールバルブ１６８、排出コンベア用コントロールバルブ１６９、押えローラ用コントロールバルブ１７０、及び油圧シリンダ用コントロールバルブ１８５の操作量（すなわちスプールの切換ストローク量）により変化する。各コントロールバルブ１６８，１６９，１７０，１８５の中立時、すなわち第２油圧ポンプ１６３へ要求する各コントロールバルブ１６８，１６９，１７０，１８５の要求流量（言い換えれば各油圧モータ１４，７９，１６０及び油圧シリンダ２８の要求流量）が少ない場合には、第２油圧ポンプ１６３から吐出される圧油はほとんど供給管路に導入されないため、余剰流量としてリリーフ弁１２２から下流側へ導出され、ポンプコントロールバルブ１２４に導入される。これにより、比較的大きな流量の圧油がピストン１２４ａの絞り部分１２４ａａを介してタンクライン８６ｅへ導出されるので、ピストン１２４ａは図１０中右側に移動してばね１２４ｂによるリリーフ弁１２４ｄの設定リリーフ圧が低くなり、パイロット導入管路８８ｂから分岐して設けられ後述のネガティブ傾転制御用の第１サーボ弁１３２へ至る管路１２５に、比較的低い制御圧力（ネガコン圧）Ｐc2を発生する。
【００９２】
逆に、各コントロールバルブが操作されて開状態となった場合、すなわち第２油圧ポンプ１６３への要求流量が多い場合には、ブリードオフ管路１２１に流れる前記余剰流量が油圧モータ１４，７９，１６０及び油圧シリンダ２８側へ流れる流量分だけ減じられるため、ピストン絞り部分１２４ａａを介しタンクライン８６ｅへ導出される圧油流量は比較的小さくなり、ピストン１２４ａは図１０中左側に移動してリリーフ弁１２４ｄの設定リリーフ圧が高くなるので、管路１２５の制御圧力Ｐc2は高くなる。本実施の形態では、後述するように、この制御圧力Ｐc2の変動に基づき、第２油圧ポンプ１６３の斜板１６３Ａの傾転角を制御するようになっている（詳細は後述）。
【００９３】
以上説明した、圧力制御弁９６，９９，１０２，１９０による絞り手段１６８Ａａ（又は１６８Ｂａ），１６９Ａａ，１７０Ａａ（又は１７０Ｂａ），１８５Ａａ（又は１８５Ｂａ）の下流側圧力と最大負荷圧力との間の制御、及びリリーフ弁１２２によるブリードオフ管路１２１内の圧力と最大負荷圧力との間の制御により、絞り手段１６８Ａａ（又は１６８Ｂａ），１６９Ａａ，１７０Ａａ（又は１７０Ｂａ），１８５Ａａ（又は１８５Ｂａ）の前後差圧を一定とする圧力補償機能を果たすこととなる。これにより、各油圧モータ１４，７９，１６０及び油圧シリンダ２８の負荷圧力の変化にかかわらず、コントロールバルブ１６８，１６９，１７０，１８５の開度に応じた流量の圧油を対応する油圧モータに供給できるようになっている。
そして、この圧力補償機能と、ポンプコントロールバルブ１２４からの制御圧力Ｐc2の出力に基づく後述の油圧ポンプ１６３の斜板１６３Ａの傾転角制御とにより、結果として、第２油圧ポンプ１６３の吐出圧と絞り手段１６８Ａａ（又は１６８Ｂａ），１６９Ａａ，１７０Ａａ（又は１７０Ｂａ），１８５Ａａ（又は１８５Ｂａ）の下流側圧力との差が一定に保持されるようになっている（詳細は後述）。
【００９４】
また、最大負荷圧が導かれる管路１２３とタンクライン８６ｅとの間にはリリーフ弁１２６が設けられ、管路１２３内の最大圧力をばね１２６ａの設定圧以下に制限し、回路保護を図るようになっている。すなわち、このリリーフ弁１２６と前記リリーフ弁１２２とでシステムリリーフ弁を構成しており、管路１２３内の圧力が、ばね１２６ａで設定された圧力より大きくなると、リリーフ弁１２６の作用により管路１２３内の圧力がタンク圧に下がり、これによって前述のリリーフ弁１２２が作動しリリーフ状態となるようになっている。
【００９５】
前記のレギュレータ装置１７１，１７２は、傾転アクチュエータ１２９，１３０と、第１サーボ弁１３１，１３２と第２サーボ弁１３３，１３４とを備え、これらのサーボ弁１３１〜１３４によりパイロットポンプ１６４や第１及び第２油圧ポンプ１６２，１６３から傾転アクチュエータ１２９，１３０に作用する圧油の圧力を制御し、第１及び第２油圧ポンプ１６２，１６３の斜板１６２Ａ，１６３Ａの傾転（すなわち押しのけ容積）を制御するようになっている。
【００９６】
傾転アクチュエータ１２９，１３０は、両端に大径の受圧部１２９ａ，１３０ａ及び小径の受圧部１２９ｂ，１３０ｂを有する作動ピストン１２９ｃ，１３０ｃと、受圧部１２９ａ，１２９ｂ及び１３０ａ，１３０ｂがそれぞれ位置する受圧室１２９ｄ，１２９ｅ及び１３０ｄ，１３０ｅとを有する。そして、両受圧室１２９ｄ，１２９ｅ及び１３０ｄ，１３０ｅの圧力が互いに等しいときは、作動ピストン１２９ｃ，１３０ｃは受圧面積の差によって図１１中右方向に移動し、これによって斜板１６２Ａ，１６３Ａの傾転は大きくなり、ポンプ吐出流量がそれぞれ増大する。また、大径側の受圧室１２９ｄ，１３０ｄの圧力が低下すると、作動ピストン１２９ｃ，１３０ｃは図１１中左方向に移動し、これによって斜板１６２Ａ，１６３Ａの傾転が小さくなりポンプ吐出流量がそれぞれ減少するようになっている。なお、大径側の受圧室１２９ｄ，１３０ｄは第１及び第２サーボ弁１３１〜１３４を介して、パイロットポンプ１６４の吐出管路８７に連通する管路１３５に接続されており、小径側の受圧室１２９ｅ，１３０ｅは直接管路１３５に接続されている。
【００９７】
第１サーボ弁１３１，１３２のうち、レギュレータ装置１７１の第１サーボ弁１３１は前述したようにポンプコントロールバルブ１７６からの制御圧力（ネガコン圧）Ｐc1により駆動されるネガティブ傾転制御用のサーボ弁であり、レギュレータ装置１７２の第１サーボ弁１３２は、前述したようにポンプコントロールバルブ１２４からの制御圧力Ｐc2により駆動されるネガティブ傾転制御用のサーボ弁であり、これらは互いに同等の構造となっている。
【００９８】
すなわち、制御圧力ＰC1，ＰC2が高いときは弁体１３１ａ，１３２ａが図１１中右方向に移動し、パイロットポンプ１６４からのパイロット圧ＰPを減圧せずに傾転アクチュエータ１２９，１３０の受圧室１２９ｄ，１３０ｄに伝達し、これによって斜板１６２Ａ，１６３Ａの傾転が大きくなって第１及び第２油圧ポンプ１６２，１６３の吐出流量をそれぞれ増大させる。そして制御圧力ＰC1，ＰC2が低下するにしたがって弁体１３１ａ，１３２ａがばね１３１ｂ，１３２ｂの力で図１１中左方向に移動し、パイロットポンプ１６４からのパイロット圧ＰPを減圧して受圧室１２９ｄ，１３０ｄに伝達し、第１及び第２油圧ポンプ１６２，１６３の吐出流量をそれぞれ減少させるようになっている。
【００９９】
以上により、レギュレータ装置１７１の第１サーボ弁１３１では、前述したポンプコントロールバルブ１７６の機能と併せてコントロールバルブ１６５，１６６の要求流量に応じた吐出流量が得られるよう、具体的にはセンターバイパスライン１７５から流入しポンプコントロールバルブ１７６を通過する流量が最小となるように第１油圧ポンプ１６２の斜板１６２Ａの傾転（吐出流量）を制御する、いわゆるネガティブコントロールが実現される。
【０１００】
また、レギュレータ装置１７２の第１サーボ弁１３２では、前述したポンプコントロールバルブ１２４の機能と併せ、コントロールバルブ１６７，１６８，１６９，１７０，１８５の要求流量に応じた吐出流量が得られるよう、具体的にはセンターバイパスライン１７８ａから流入しポンプコントロールバルブ１２４を通過する流量が最小となるように第２油圧ポンプ１６３の斜板１６３Ａの傾転（吐出流量）を制御する、いわゆるネガティブコントロールが実現される。
【０１０１】
第２サーボ弁１３３，１３４は、いずれも入力トルク制限制御用のサーボ弁で、互いに同一の構造となっている。すなわち、第２サーボ弁１３３，１３４は、第１及び第２油圧ポンプ１６２，１６３の吐出圧Ｐ1，Ｐ2により作動する弁であり、それら吐出圧Ｐ1，Ｐ2が、第１及び第２油圧ポンプ１６２，１６３の吐出管路１７４，１７７から分岐して設けられた吐出圧検出管路１３６ａ〜ｃ，１３７ａ〜ｃを介し、操作駆動部１３３ａの受圧室１３３ｂ，１３３ｃ及び操作駆動部１３４ａの受圧室１３４ｂ，１３４ｃにそれぞれ導かれるようになっている。
【０１０２】
すなわち、第１及び第２油圧ポンプ１６２，１６３の吐出圧の和Ｐ1＋Ｐ2によって操作駆動部１３３ａ，１３４ａに作用する力がばね１３３ｄ，１３４ｄで設定されるばね力によって弁体１３３ｅ，１３４ｅに作用する力より小さいときは、弁体１３３ｅ，１３４ｅは図１１中右方向に移動し、パイロットポンプ１６４から第１サーボ弁１３１，１３２を介し導かれたパイロット圧ＰPを減圧せずに傾転アクチュエータ１２９，１３０の受圧室１２９ｄ，１３０ｄに伝達し、これによって第１及び第２油圧ポンプ１６２，１６３の斜板１６２Ａ，１６３Ａの傾転を大きくして吐出流量を大きくする。
【０１０３】
そして、第１及び第２油圧ポンプ１６２，１６３の吐出圧の和Ｐ1＋Ｐ2による力がばね１３３ｄ，１３４ｄのばね力設定値による力よりも大きくなるにしたがって弁体１３３ｅ，１３４ｅが図１１中左方向に移動し、パイロットポンプ１６４から第１サーボ弁１３１，１３２を介し導かれたパイロット圧ＰPを減圧して受圧室１２９ｄ，１３０ｄに伝達し、これによって第１及び第２油圧ポンプ１６２，１６３の吐出流量を減少させるようになっている。
【０１０４】
以上により、第１及び第２油圧ポンプ１６２，１６３の吐出圧Ｐ1，Ｐ2が上昇するに従って第１及び第２油圧ポンプ１６２，１６３の吐出流量の最大値が小さく制限され、第１及び第２油圧ポンプ１６２，１６３の入力トルクの合計をエンジン１６１の出力トルク以下に制限するように第１及び第２油圧ポンプ１６２，１６３の斜板１６２Ａ，１６３Ａの傾転が制御されるいわゆる入力トルク制限制御（馬力制御）が実現される。このとき、さらに詳細には、第１油圧ポンプ１６２の吐出圧Ｐ1と第２油圧ポンプ１６３の吐出圧Ｐ2との和に応じて、第１及び第２油圧ポンプ１６２，１６３の入力トルクの合計をエンジン１６１の出力トルク以下に制限するいわゆる全馬力制御が実現されるようになっている。
【０１０５】
本実施の形態では、第１油圧ポンプ１６２及び第２油圧ポンプ１６３の両方がほぼ同一の特性に制御される。すなわち、レギュレータ装置１７１の第２サーボ弁１３３において第１油圧ポンプ１６２を制御するときにおける第１及び第２油圧ポンプ１６２，１６３の吐出圧の和Ｐ1＋Ｐ2と第１油圧ポンプ１６２の吐出流量の最大値との関係と、レギュレータ装置１７２の第２サーボ弁１３４において第２油圧ポンプ１６３を制御するときにおける第１及び第２油圧ポンプ１６２，１６３の吐出圧の和Ｐ1＋Ｐ2と第２油圧ポンプ１６３の吐出流量の最大値との関係とが、互いに略同一の関係（例えば１０％程度の幅で）となるように、かつ、第１及び第２油圧ポンプ１６２，１６３の吐出流量の最大値を互いに略同じ値（同）で制限するようになっている。
【０１０６】
図１２は、前記の操作盤８３の詳細構造を表す正面図である。この図１２において、８３Ａ1，８３Ａ2，８３Ａ3は、送りコンベア１１の正転方向起動、停止、逆転方向起動を行うための始動ボタン、停止ボタン、逆転ボタンであり、８３Ｂ1，８３Ｂ2，８３Ｂ3は、押圧ローラ装置１３の正転方向起動、停止、逆転方向起動を行うための始動ボタン、停止ボタン、逆転ボタンであり、８３Ｃ1，８３Ｃ2，８３Ｃ3は、破砕ロータ３２の正転方向起動、停止、逆転方向起動を行うための始動ボタン、停止ボタン、逆転ボタンであり、８３Ｄ1，８３Ｄ2は、排出コンベア３の起動、停止を行うための始動ボタン、停止ボタンである。
【０１０７】
また、８３Ｇはフィーダ（前記送りコンベア１１及び押圧ローラ装置１３）の動作速度（但し正転方向）を設定可能な速度設定ダイヤルであり、８３Ｊは前記破砕ロータ３２の回転速度を設定可能な速度設定ダイヤルであり、８３Ｈは走行操作を行う走行モード及び破砕作業を行う作業モードのいずれか一方を選択するための動作選択スイッチであり、８３Ｉは各種操作をこの操作盤８３を用いて行うか図示しない可搬式のスイッチボックス（リモコン）を用いて行うかを選択するための操作選択スイッチである。
【０１０８】
また、８３Ｋは破砕装置１２の過負荷発生時に押圧ローラ装置１３の押えローラ２４及び送りコンベア１１を逆転駆動するオートフィーダ機能（詳細は後述）を行うかどうかを選択可能なオートフィーダ切換スイッチである。通常の破砕作業時には「ＯＮ」の切換位置で使用する。「ＯＦＦ」の切換位置は、例えば、圧力センサ１３８，１３９が作業中に故障して常時過負荷状態の検出信号を出力するような場合、そのままでは破砕作業自体が続行不可能となるため、オートフィーダによる逆転機能そのものを不実施として破砕作業の続行を確保するためのものである。
【０１０９】
さらに、８３Ｌは押圧ローラ装置１３を上げ下げする油圧シリンダ２８のロック／フリーの切り換え等を行うためのシリンダ動作切換スイッチである（詳細は後述）。
【０１１０】
作業者が上記操作盤８３の各種ボタン、スイッチ、ダイヤルの操作を行うと、その操作信号が前記のコントローラ８４に入力される。コントローラ８４は、操作盤８３からの操作信号に基づき、前述した送りコンベア用コントロールバルブ１６８、排出コンベア用コントロールバルブ１６９、押えローラ用コントロールバルブ１７０、油圧シリンダ用コントロールバルブ１８５、ソレノイド制御弁８５、ソレノイド制御弁１８７及び破砕装置用コントロールバルブ１６５への駆動信号Ｓf，Ｓcon，Ｓm，Ｓcy，Ｓt，Ｓl，Ｓcrを生成し、対応するコントロールバルブのソレノイドにそれらを出力するようになっている。
【０１１１】
すなわち、操作盤８３の動作選択スイッチ８３Ｈで「走行モード」が選択された場合には、ソレノイド制御弁８５への駆動信号ＳtをＯＮにしてソレノイド制御弁８５を図１１中左側の連通位置８５Ａに切り換え、操作レバー３６ａ，３７ａによる走行用コントロールバルブ１６６，１６７の操作を可能とする。操作盤８３の動作選択スイッチ８３Ｈで「作業モード」が選択された場合には、ソレノイド制御弁８５への駆動信号ＳtをＯＦＦにして図１１中右側の遮断位置８５Ｂに復帰させ、操作レバー３６ａ，３７ａによる走行用コントロールバルブ１６６，１６７の操作を不可能とする。
【０１１２】
また、操作盤８３の破砕ロータ始動スイッチ８３Ｃ1（又は逆転スイッチ８３Ｃ3。以下、対応関係同じ）が押された場合、破砕装置用コントロールバルブ１６５のソレノイド駆動部１６５ａ（又はソレノイド駆動部１６５ｂ）への駆動信号ＳcrをＯＮにするとともにソレノイド駆動部１６５ｂ（又はソレノイド駆動部１６５ａ）への駆動信号ＳcrをＯＦＦにし、破砕装置用コントロールバルブ１６５を図９中上側の切換位置１６５Ａ（又は下側の切換位置１６５Ｂ）に切り換え、第１油圧ポンプ１６２からの圧油を破砕装置用油圧モータ１２１に供給して駆動し、破砕装置１２を正転方向（又は逆転方向）に起動する。
【０１１３】
その後、破砕ロータ停止スイッチ８３Ｃ2が押された場合、破砕装置用コントロールバルブ１６５のソレノイド駆動部１６５ａ及びソレノイド駆動部１６５ｂへの駆動信号ＳcrをともにＯＦＦにして図９に示す中立位置に復帰させ、破砕装置用油圧モータ１２１を停止し、破砕装置１２を停止させる。
【０１１４】
また、操作盤８３の送りコンベア始動スイッチ８３Ａ1（又は逆転スイッチ８３Ａ3。以下、対応関係同じ）が押された場合、送りコンベア用コントロールバルブ１６８のソレノイド駆動部１６８ａ（又はソレノイド駆動部１６８ｂ）への駆動信号ＳfをＯＮにするとともにソレノイド駆動部１６８ｂ（又はソレノイド駆動部１６８ａ）への駆動信号ＳfをＯＦＦにし、図１０中上側の切換位置１６８Ａ（又は図１０中下側の切換位置１６８Ｂ）に切り換え、第２油圧ポンプ１６３からの圧油を送りコンベア用油圧モータ１４に供給して駆動し、送りコンベア１１を正転方向（又は逆転方向）に起動する。その後、操作盤８３の送りコンベア停止スイッチ８３Ａ2が押されると、送りコンベア用コントロールバルブ１６８のソレノイド駆動部１６８ａ及びソレノイド駆動部１６８ｂへの駆動信号ＳfをともにＯＦＦにして図１０に示す中立位置に復帰させ、送りコンベア用油圧モータ１４を停止し、送りコンベア１１を停止させる。
【０１１５】
また、排出コンベア始動スイッチ８３Ｄ1が押された場合、排出コンベア用コントロールバルブ１６９を図１０中上側の切換位置１６９Ａに切り換え、排出コンベア用油圧モータ７９を駆動して排出コンベア３を起動し、排出コンベア停止スイッチ８３Ｄ2が押されると、排出コンベア用コントロールバルブ１６９を中立位置に復帰させ、排出コンベア３を停止させる。
【０１１６】
さらに、押圧ローラ始動スイッチ８３Ｂ1（又は逆転スイッチ８３Ｂ3。以下、対応関係同じ）が押された場合、押えローラ用コントロールバルブ１７０のソレノイド駆動部１７０ａ（又はソレノイド駆動部１７０ｂ）への駆動信号ＳmをＯＮにするとともにソレノイド駆動部１７０ｂ（又はソレノイド駆動部１７０ａ）への駆動信号ＳmをＯＦＦにし、図１０中上側の切換位置１７０Ａ（又は図１０中下側の切換位置１７０Ｂ）に切り換え、第２油圧ポンプ１６３からの圧油を押えローラ用油圧モータ１６０に供給して駆動し、押圧ローラ装置１３を正転方向（又は逆転方向）に起動する。その後、押えローラ停止スイッチ８３Ｂ2が押されると、押えローラ用コントロールバルブ１７０を中立位置に復帰させ、押圧ローラ装置１３を停止させる。
【０１１７】
ここで、本実施の形態の最も大きな特徴は、破砕装置１２が過負荷状態となったときに、油圧シリンダ２８を縮短させて押圧ローラ装置１３を持ち上げるようにしたことである。以下、この詳細について説明する。
【０１１８】
先の図１２において、８３Ｌは油圧シリンダ２８のフリー状態又はロック状態の切り換え、及び押圧ローラ装置１３の上昇（すなわち油圧シリンダ２８の縮短駆動）を行うためのシリンダ動作切換スイッチである。すなわち、このシリンダ動作切換スイッチ８３ＬをＦｒｅｅ位置（図１２中左側の切換位置）に切り換えると、コントローラ８４からソレノイド制御弁１８７のソレノイド１８７ａに入力される駆動信号ＳlがＯＮになり、ソレノイド制御弁１８７が図１０中上側のフリー位置１８７Ａに切り換えられ、供給管路中の圧力をタンク圧と等しくして油圧シリンダ２８の伸縮動作をフリー状態とする。なお、通常はシリンダ動作切換スイッチ８３ＬをこのＦｒｅｅ位置とした状態で破砕作業が行われ、破砕装置１２が過負荷状態となった場合にはこのフリー状態から押圧ローラ装置１３の上げ制御がコントローラ８４によって行われる（詳細は後述）。
【０１１９】
一方、切換スイッチ８３Ｌをローラ上げ位置（図１２中右側の切換位置）に切り換えると、コントローラ８４から油圧シリンダ用コントロールバルブ１８５のソレノイド駆動部１８５ａ及び１８５ｂへの駆動信号ＳcyがそれぞれＯＮ及びＯＦＦになり、油圧シリンダ用コントロールバルブ１８５が図１０中上側の切換位置１８５Ａに切り換えられる。これにより、第２油圧ポンプ１６３からの圧油が油圧シリンダ２８のロッド側に供給され、油圧シリンダ２８が縮短されて押圧ローラ装置１３が持ち上げられる。この切り換え位置は、例えばメンテナンス時等、作業者が必要に応じて押圧ローラ装置１３を手動で上げたい場合に用いる。
【０１２０】
他方、切換スイッチ８３Ｌをロック位置（図１２中中央側の切換位置）に切り換えると、コントローラ８４からソレノイド制御弁１８７のソレノイド１８７ａに入力される駆動信号ＳlがＯＦＦになり、ソレノイド制御弁１８７がバネ１８７ｂの付勢力により図１０中下側のロック位置１８７Ｂに切り換えられ、油圧シリンダ２８の伸縮動作をロックする。この切換位置は、例えば上記したメンテナンス時に作業者が押圧ローラ装置１３を上げ、その状態で保持する場合等に用いられる。
【０１２１】
図１３は、コントローラ８４の機能のうち押圧ローラ装置１３の上げ制御に係わる制御内容を表すフローチャートである。なお、コントローラ８４は、作業者により操作盤８３の送りコンベア始動スイッチ８３Ａ1及び押圧ローラ始動スイッチ８３Ｂ1が押され、送りコンベア１１及び押圧ローラ装置１３が起動されると共にこの図１３に示すフローを開始し、送りコンベア停止スイッチ８３Ａ2及び押圧ローラ停止スイッチ８３Ｂ2が押され、送りコンベア１１及び押圧ローラ装置１３が停止すると共にこのフローを終了するようになっている。
【０１２２】
この図１３において、まずステップ１０では、送りコンベア１１及び押圧ローラ装置１３がコントローラ８４により逆転及び停止制御されているかどうかを示すフラグを、制御されていない状態を示す０にクリアし、次のステップ２０に移る。
【０１２３】
ステップ２０では、圧力センサ１３８，１３９が検出した第１及び第２油圧ポンプ１６２，１６３の吐出圧Ｐ1，Ｐ2をそれぞれ入力し、次のステップ３０に移る。
【０１２４】
ステップ３０では、上記ステップ２０で入力した吐出圧Ｐ1，Ｐ2の平均値（Ｐ1＋Ｐ2）／２を算出し、この値がしきい値Ｐ０以上であるかどうかを判定する。なお、このしきい値Ｐ０は、前記全馬力制御によって第１油圧ポンプ１６２の特性が高トルク側へ移動した状態でこの第１油圧ポンプ１６２の最大吐出流量が減少し始めるときの第１及び第２油圧ポンプ１６２，１６３の吐出圧Ｐ1及びＰ2の平均値であり、例えばコントローラ８４に予め記憶（又は適宜の外部端末により設定入力してもよい）されているものである。吐出圧Ｐ1，Ｐ2の平均値がしきい値Ｐ０以上の場合には判定が満たされ、次のステップ４０に移る。
【０１２５】
ステップ４０では、前記フラグが送りコンベア１１及び押圧ローラ装置１３の逆転及び停止制御されていない状態を示す０であるかどうかを判定する。フラグが１であれば判定が満たされず、後述するステップ１１０に移る。一方、フラグが０であれば判定が満たされ、次のステップ５０に移る。
【０１２６】
ステップ５０では、吐出圧Ｐ1，Ｐ2の平均値（Ｐ1＋Ｐ2）／２が上記しきい値Ｐ０以上となってから時間Ｔ1が経過したかどうかを判定する。なお、この時間Ｔ1は、吐出圧Ｐ1，Ｐ2の平均値（Ｐ1＋Ｐ2）／２がしきい値Ｐ０以上となった状態がこの時間以上継続した場合には、破砕装置１２が過負荷状態であると判定できる基準時間として、例えばコントローラ８４に予め記憶（又は適宜の外部端末により設定入力してもよい）されているものである。時間Ｔ1が経過していない場合には判定が満たされず、ステップ２０に戻る。一方、時間Ｔ1が経過した場合には破砕装置１２が過負荷状態であるとみなされて判定が満たされ、次のステップ６０に移る。
【０１２７】
ステップ６０では、送りコンベア用コントロールバルブ１６８に出力する駆動信号Ｓfを制御して送りコンベア用コントロールバルブ１６８を切換位置１６８Ｂに切換えると共に、押えローラ用コントロールバルブ１７０に出力する駆動信号Ｓmを制御して押えローラ用コントロールバルブ１７０を切換位置１７０Ｂに切り換える。これにより、送りコンベア１１及び押圧ローラ装置１３を逆転駆動させ、次のステップ７０に移る。
【０１２８】
ステップ７０では、上記ステップ６０で送りコンベア１１及び押圧ローラ装置１３の逆転駆動を開始してから時間Ｔ2が経過したかどうかを判定する。なお、この時間Ｔ2は、送りコンベア１１及び押圧ローラ装置１３の逆転駆動時間として例えばコントローラ８４に予め記憶（又は適宜の外部端末により設定入力してもよい）されているものである。時間Ｔ2が経過した場合には判定が満たされ、次のステップ８０に移る。
【０１２９】
ステップ８０では、送りコンベア用コントロールバルブ１６８に出力する駆動信号Ｓfを制御して送りコンベア用コントロールバルブ１６８を中立位置に切換えると共に、押えローラ用コントロールバルブ１７０に出力する駆動信号Ｓmを制御して押えローラ用コントロールバルブ１７０を中立位置に切り換える。これにより、送りコンベア１１及び押圧ローラ装置１３を停止させ、次のステップ９０に移る。
【０１３０】
ステップ９０ではフラグを送りコンベア１１及び押圧ローラ装置１３が逆転及び停止制御されている状態を示す１にして、次のステップ１００に移る。
【０１３１】
ステップ１００では、角度センサ８９で検出したアーム部２５の回動角度を入力し、現時点（送りコンベア１１及び押圧ローラ装置１３を停止制御した時点）でのアーム部２５の回動角度θsとして、例えばコントローラ８４内のメモリ等（又は外部の適宜の記憶手段でもよい）に記憶する。
【０１３２】
次のステップ１１０では、角度センサ８９で検出したアーム部２５の回動角度θを再度入力し、次のステップ１２０に移る。
なお、前述したように、先のステップ４０で判定が満たされない場合には、次のステップ１２０に直接移る。
【０１３３】
ステップ１２０では、上記ステップ１１０で入力した回動角度θが先のステップ１００で記憶した回動角度θsに設定角度θoを加えた角度より大きいかどうかを判定する。なお、このθoは、アーム部２５（湾曲板２７）と破砕装置１２との隙間に滞留した被破砕木材を除去するのに十分なアーム部２５の回動角度として、例えばコントローラ８４に予め記憶（又は適宜の外部端末により設定入力してもよい）されているものである。θ≦θs+θoの場合には判定が満たされず、次のステップ１３０に移る。
【０１３４】
ステップ１３０では、油圧シリンダ用コントロールバルブ１８５のソレノイド駆動部１８５ａ及び１８５ｂへの駆動信号ＳcyをそれぞれＯＮ及びＯＦＦとし、油圧シリンダ用コントロールバルブ１８５を図１０中上側の切換位置１８５Ａに切り換える。これにより、第２油圧ポンプ１６３からの圧油が油圧シリンダ２８のロッド側に供給され、油圧シリンダ２８が縮短されて押圧ローラ装置１３が持ち上げられる。そして、ステップ２０に戻る。
【０１３５】
なお、先のステップ１２０でθ＞θs+θoの場合には判定が満たされ、ステップ１４０に移る。ステップ１４０では、ソレノイド制御弁１８７のソレノイド１８７ａへの駆動信号ＳlをＯＦＦとし、ソレノイド制御弁１８７を図１０中下側のロック位置１８７Ｂに切り換える。これにより、油圧シリンダ２８の伸縮動作がロックされ、押圧ローラ装置１３の回動動作がロックされる。
【０１３６】
一方、先のステップ３０において、吐出圧Ｐ1，Ｐ2の平均値（Ｐ1＋Ｐ2）／２がしきい値Ｐ０より小さい場合には判定が満たされず、ステップ１５０に移る。このステップ１５０では、フラグが送りコンベア１１及び押圧ローラ装置１３の逆転及び停止制御されている状態を示す１であるかどうかを判定する。フラグが０であれば判定は満たされず、ステップ２０に戻る。一方、フラグが１であれば判定が満たされ、次のステップ１６０に移る。
【０１３７】
ステップ１６０では、吐出圧Ｐ1，Ｐ2の平均値（Ｐ1＋Ｐ2）／２がしきい値Ｐ０を下回ってから時間Ｔ3が経過したかどうかを判定する。なお、この時間Ｔ3は、吐出圧Ｐ1，Ｐ2の平均値（Ｐ1＋Ｐ2）／２がしきい値Ｐ０を下回った状態がこの時間以上継続した場合には、破砕装置１２の過負荷状態が解消されたと判定できる基準時間として、例えばコントローラ８４に予め記憶（又は適宜の外部端末により設定入力してもよい）されているものである。時間Ｔ3が経過していない場合には判定が満たされず、ステップ２０に戻る。一方、時間Ｔ3が経過した場合には破砕装置１２の過負荷状態が解消されたとみなされて判定が満たされ、次のステップ１７０に移る。
【０１３８】
ステップ１７０では、ソレノイド制御弁１８７のソレノイド１８７ａに入力する駆動信号ＳlをＯＮとし、ソレノイド制御弁１８７を図１０中上側のフリー位置１８７Ａに切り換える。これにより、油圧シリンダ２８の供給管路中の圧力がタンク圧と等しくなって油圧シリンダ２８の伸縮動作がフリー状態となり、押圧ローラ装置１３の回動動作がフリー状態となる。
【０１３９】
次のステップ１８０では、送りコンベア用コントロールバルブ１６８に出力する駆動信号Ｓfを制御して送りコンベア用コントロールバルブ１６８を切換位置１６８Ａに切換えると共に、押えローラ用コントロールバルブ１７０に出力する駆動信号Ｓmを制御して押えローラ用コントロールバルブ１７０を切換位置１７０Ａに切り換える。これにより、送りコンベア１１及び押圧ローラ装置１３を正転駆動に復帰させ、次のステップ１９０でフラグを０にクリアして、ステップ２０に戻る。
【０１４０】
図１４は、破砕作業時における第１及び第２油圧ポンプ１６２，１６３の吐出圧Ｐ1，Ｐ2の平均値（Ｐ1＋Ｐ2）／２の変化の一例を示すと共に、そのときの送りコンベア１１、押圧ローラ装置１３の駆動状態及び押圧ローラ装置１３の上げ状態を示す図である。
【０１４１】
この図１４に示すように、例えば被破砕木材の過投入により破砕装置１２の負荷が上昇し、第１及び第２油圧ポンプ１６２，１６３の吐出圧Ｐ1，Ｐ2の平均値がしきい値Ｐ０以上である状態が時間Ｔ1の間継続すると、破砕装置１２が過負荷状態であるとみなされて送りコンベア１１及び押圧ローラ装置１３が時間Ｔ2の間逆転駆動する。この逆転駆動が終了するまでの間、油圧シリンダ２８の伸縮動作（押圧ローラ装置１３の回動動作）はフリー状態である。逆転駆動が終了すると、送りコンベア１１及び押圧ローラ装置１３を停止する。このとき、油圧シリンダ２８を縮短して押圧ローラ装置１３を持ち上げ、その状態で油圧シリンダ２８の伸縮動作をロックして押圧ローラ装置１３を保持する。そして、破砕装置１２の負荷が減少して吐出圧Ｐ1，Ｐ2の平均値が低下し、吐出圧Ｐ1，Ｐ2の平均値がしきい値Ｐ０を下回った状態が時間Ｔ3の間継続すると、破砕装置１２の過負荷状態が解消されたとみなされて送りコンベア１１及び押圧ローラ装置１３を正転駆動に復帰すると共に、油圧シリンダ２８の伸縮動作（押圧ローラ装置１３の回動動作）をフリー状態に復帰する。
【０１４２】
次に、上記構成の本発明の木材破砕機の一実施の形態の動作を以下に説明する。
上記構成の自走式木材破砕機において、破砕作業時には、作業者は、まず操作盤８３の動作選択スイッチ８３Ｈで「作業モード」を選択して走行操作を不可能とする。そして、排出コンベア始動スイッチ８３Ｄ1、破砕ロータ始動スイッチ８３Ｃ1、押圧ローラ始動スイッチ８３Ｂ1、及び送りコンベア始動スイッチ８３Ａ1を順次押す。なおこのとき、オートフィーダ切換スイッチ８３Ｋは「ＯＮ」の切換位置、シリンダ動作切換スイッチ８３Ｌは「Ｆｒｅｅ」の切換位置にしておく。
【０１４３】
上記の操作により、コントローラ８４から排出コンベア用コントロールバルブ１６９のソレノイド駆動部１６９ａへの駆動信号ＳconがＯＮになって排出コンベア用コントロールバルブ１６９が図１０中上側の切換位置１６９Ａに切り換えられる。また、コントローラ８４から破砕装置用コントロールバルブ１６５のソレノイド駆動部１６５ａへの駆動信号ＳcrがＯＮになるとともにソレノイド駆動部１６５ｂへの駆動信号ＳcrがＯＦＦになり、破砕用コントロールバルブ１６５が図９中上側の切換位置１６５Ａに切り換えられる。さらに、コントローラ８４から押えローラ用コントロールバルブ１７０のソレノイド駆動部１７０ａへの駆動信号ＳmがＯＮになるとともにソレノイド駆動部１７０ｂへの駆動信号ＳmがＯＦＦになり、押えローラ用コントロールバルブ１７０が図１０中上側の切換位置１７０Ａに切り換えられ、コントローラ８４から送りコンベア用コントロールバルブ１６８のソレノイド駆動部１６８ａへの駆動信号ＳfがＯＮになるとともにソレノイド駆動部１６８ｂへの駆動信号ＳfがＯＦＦになり、送りコンベア用コントロールバルブ１６８が図１０中上側の切換位置１６８Ａに切り換えられる。
【０１４４】
これにより、第２油圧ポンプ１６３からの圧油がセンターバイパスライン１７８ａ及びセンタライン１７８ｂへ導入され、さらに押えローラ用油圧モータ１６０、排出コンベア用油圧モータ７９、及び送りコンベア用油圧モータ１４に供給され、押圧ローラ装置１３、排出コンベア３、及び送りコンベア１１が起動される。一方、第１油圧ポンプ１６２からの圧油が破砕装置用油圧モータ１２１に供給されて破砕装置１２が正転方向に起動される。
【０１４５】
この状態で、例えば油圧ショベルのグラップル等、適宜の作業具によりホッパ１０内に被破砕木材を投入すると、被破砕木材は送りコンベア１１の搬送体１６上に載置され、ホッパ１０の側壁体１７によって案内されつつ循環駆動する搬送体１６によって木材破砕機前方側に向かってほぼ水平方向に搬送される。
【０１４６】
送りコンベア１１上の被破砕木材は、押圧コンベア装置１３付近まで搬送されると、押圧コンベア装置１３の押えローラ２４の下部に入り込み押圧コンベア装置１３を押し上げる。これにより、送りコンベア１１上の被破砕木材は、押圧コンベア装置１３の自重の作用により送りコンベア１１との間に押圧把持された状態で、破砕室３１内へと導入される。これにより、破砕時には、被破砕木材は、押えローラ２４と送りコンベア１１とに挟持された部分を支点に片持ち梁状に破砕室３１内に突出し、この突出部分が、回転する破砕ロータ３２の破砕ビット３５が衝突することで比較的大雑把に１次破砕される。１次破砕された被破砕木材の木材片は、破砕ロータ３２の外周側の破砕室３１内の空間を破砕ロータ３２の回転方向に周回し、アンビル３３に衝突し、その衝撃力によってさらに細かく２次破砕される。
【０１４７】
以上のようにして破砕された破砕途中の木材片のうち第１及び第２スクリーン３９，４０に多数設けた孔よりも大きなものは継続して破砕室３１内を周回し、破砕ビット３５やアンビル３３に再度衝突することにより、さらに破砕されていく。このようにして、第１及び第２スクリーン３９，４０の孔を通過する粒度にまで粉砕されると、破砕木材（木材チップ）が第１又は第２スクリーン３９，４０の孔を通過して、破砕装置１２から排出される。
【０１４８】
破砕装置１２から排出された破砕木材（木材チップ）は、シュート（図示せず）を介し循環駆動する排出コンベア３のコンベアベルト上に落下し、前方側（図１及び図２中右側）へと搬送され、リサイクル品として排出される。
【０１４９】
以上のようにして行われる破砕作業において、例えば被破砕木材の投入量が過剰、又は支持部材２３のアーム部２５と破砕装置１２との隙間に木材が滞留する等により破砕装置１２が過負荷状態となる場合がある。このとき、圧力センサ１３８，１３９により検出された吐出圧Ｐ1，Ｐ2の平均値（Ｐ1＋Ｐ2）／２がしきい値Ｐ０以上となると、図１３中のステップ３０の判定が満たされる。この過負荷状態が時間Ｔ1以上継続すると、ステップ４０を経てステップ５０の判定が満たされ、ステップ６０においてコントローラ８４の制御により送りコンベア１１及び押えローラ２４の逆転駆動が開始される。この逆転駆動開始後時間Ｔ2以上経過すると、ステップ７０の判定が満たされ、ステップ８０においてコントローラ８４の制御により送りコンベア１１及び押えローラ２４の駆動が停止される。
【０１５０】
このとき、ステップ９０を経てステップ１００において、角度センサ８９で検出されたアーム部２５の回動角度θsが記憶される。そして、コントローラ８４の制御により、アーム部２５の回動角度θが記憶したθsに設定角度θoを加えた角度より大きくなるまで、油圧シリンダ２８が縮短されて押圧ローラ装置１３が上げられる。この状態は、図１３中ステップ１３０→ステップ２０〜ステップ４０→ステップ１１０〜ステップ１３０を繰り返している状態である。そして、アーム部２５の回動角度θがθs+θoより大きくなると、ステップ１２０の判定が満たされ、ステップ１４０においてコントローラ８４の制御によって油圧シリンダ２８の伸縮動作がロックされ、押圧ローラ装置１３が上げた状態で保持される。
【０１５１】
このようにして、送りコンベア１１及び押圧ローラ装置１３を停止することにより破砕装置１２への被破砕木材の搬送が停止され、さらに押圧ローラ装置１３を上げることにより滞留物が除去されるため、破砕装置１２の負荷が減少する。これにより、吐出圧Ｐ1，Ｐ2の平均値（Ｐ1＋Ｐ2）／２がしきい値Ｐ０を下回り、図１３中のステップ３０の判定が満たされなくなりステップ１５０に移る。そして、この状態が時間Ｔ3以上経過すると、ステップ１６０の判定が満たされ、ステップ１７０において、コントローラ８４の制御により油圧シリンダ２８の伸縮動作がフリー状態となり、押圧ローラ装置１３が自重により被破砕木材を押圧する状態に復帰する。そして、ステップ１８０においてコントローラ８４の制御により送りコンベア１１及び押圧ローラ装置１３が正転駆動に復帰される。
【０１５２】
以上のようにして破砕作業が行われる本発明の木材破砕機の一実施形態によれば、以下の効果を得ることができる。
本実施形態においては、以上説明してきたように、送りコンベア１１により略水平方向から破砕室３１に導入される被破砕木材を、破砕装置１２の上部に設けた回動軸２２を中心として回動可能に設けた支持部材２３により送りコンベア１１の上方に回転自在に支持された押えローラ２４で押圧することにより、押えローラ２４と送りコンベア１１とで協働して被破砕木材を把持し、破砕室３１へと押し込み導入する。
【０１５３】
このような構造の場合、上記したように、押えローラ２４を支持する支持部材２３のアーム部２５（正確には湾曲板２７）と破砕装置１２との隙間に木材が入って滞留し、この滞留した木材が押圧ローラ装置１３の自重により破砕装置１２に押し付けられ、これが原因となって破砕装置１２が過負荷状態となる場合がある。このとき、前述した特許文献２記載の従来技術のように、単に送りコンベア１１及び押圧ローラ装置１３を逆転させるだけでは、アーム部２５と破砕装置１２との隙間に滞留した木材は除去されないため、破砕装置１２の過負荷状態は解消されない恐れがあった。
【０１５４】
これに対し、本実施形態においては、圧力センサ１３８，１３９で検出した吐出圧Ｐ1，Ｐ2の平均値（Ｐ1＋Ｐ2）／２としきい値Ｐ０を比較することにより破砕装置１２の過負荷状態を検出すると、コントローラ８４の制御によって油圧シリンダ２８を縮短させて、アーム部２５を送りコンベア１１（破砕装置１２）から離間させるように押圧ローラ装置１３を持ち上げ、その状態で保持する。このようにしてアーム部２５を送りコンベア１１（破砕装置１２）から離間させることにより、アーム部２５と破砕装置１２との隙間に滞留した木材を除去する（落下させる）ことができる。その結果、滞留した木材による破砕装置１２への押し付けを解消できるので、破砕装置１２の過負荷状態を確実に解消することができる。なお、押圧ローラ装置１３を持ち上げた際に、滞留した木材を破砕装置１２の導入側（送りコンベア１１及び押えローラ２４側）に落下させることができるので、滞留していた木材を再度破砕室３１に導入して破砕することができる。
【０１５５】
また本実施形態によれば、押圧ローラ装置１３の上げ制御を行っている間は送りコンベア１１及び押圧ローラ装置１３（押えローラ２４）の駆動を停止する。これにより、アーム部２５が送りコンベア１１（破砕装置１２）から離間されている間に被破砕木材が破砕室３１内に導入されるのを防止でき、アーム部２５と破砕装置１２との隙間に滞留した木材を確実に除去できる。さらに、押圧ローラ装置１３の上げ制御中においては押えローラ２４が送りコンベア１１から離間した状態であり、押圧ローラ装置１３と送りコンベア１１とで被破砕木材を押圧把持することができないことから、この際に送りコンベア１１及び押圧ローラ装置１３を駆動しても被破砕木材を搬送するという本来の役目を果たすことができないため、押圧ローラ装置１３の上げ制御中に送りコンベア１１及び押圧ローラ装置１３を停止する本実施形態によれば、無駄な動力消費を抑制することができる。
【０１５６】
さらに本実施形態によれば、全馬力制御による第１油圧ポンプ１６２側の馬力増大分を有効に用いて送りコンベア１１の逆転及び停止制御を行うことができる。すなわち、本実施形態のように全馬力制御を行う油圧駆動装置の場合、破砕装置用油圧モータ１２１の負荷圧が上昇すると、エンジン１６１の馬力配分が変更され、第２油圧ポンプ１６３側の入力トルクが減少されて第１油圧ポンプ１６２側の入力トルクが増大される。ここで、破砕装置用油圧モータ１２１の過負荷状態の検出を、例えば第１油圧ポンプ１６２の吐出圧のみを検出しこれとしきい値を比較して行うような構造の場合、上記全馬力制御による第１油圧ポンプ１６２側の増トルク分を活かせないまま送りコンベア１１の逆転及び停止制御が行われることになる。これに対し、本実施形態では、圧力センサ１３８，１３９で第１及び第２油圧ポンプ１６２，１６３の吐出圧をそれぞれ検出し、それらの平均値がしきい値Ｐ０以上である場合に送りコンベア１１を逆転駆動及び停止させる。これにより、上記全馬力制御による馬力配分の変化に応じた形で第１油圧ポンプ１６２側の馬力増大分を有効に用いて送りコンベア１１の逆転及び停止制御を行うことができる。
【０１５７】
次に、本発明の木材破砕機の他の実施形態を説明する。本実施形態は、上記一実施形態のように押圧ローラ装置１３を持ち上げた後その状態で保持せずに、押圧ローラ装置１３を持ち上げた後上げ下げを繰り返すように制御するものである。
【０１５８】
図１５は、本実施形態のコントローラ８４’（図示せず）の機能のうち、押圧ローラ装置１３の上げ制御に係わる制御内容を表すフローチャートである。
この図１５において、前述の図１３と相違する箇所はステップ２００のみである。すなわち、コントローラ８４の制御により油圧シリンダ２８が縮短されて押圧ローラ装置１３が上げられ、アーム部２５の回動角度θがθs+θoより大きくなると、ステップ１２０の判定が満たされ、次のステップ２００に移る。このステップ２００では、コントローラ８４の制御によって油圧シリンダ２８の伸縮動作がフリー状態となる。その結果、押圧ローラ装置１３はその回動動作がフリーとなって自重によって下がり、アーム角度θがθs+θo以下となるため、次のステップ１２０においては判定が満たされずにステップ１３０に移り、コントローラ８４の制御により、再びアーム部２５の回動角度θがθs＋θoより大きくなるまで押圧ローラ装置１３が上げられる。そして、アーム部２５の回動角度θがθs+θoより大きくなると、再度油圧シリンダ２８の伸縮動作がフリー状態となり、押圧ローラ装置１３が自重により下がる。このようにして、本実施形態では、図１５中ステップ２０〜ステップ４０→ステップ１１０〜ステップ１３０→ステップ２０とステップ２０〜ステップ４０→ステップ１１０〜ステップ１２０→ステップ２００→ステップ２０とが繰り返されつつ、押圧ローラ装置１３が上げ下げを繰り返すように制御される。
【０１５９】
なお、この図１５の他の部分は前述の図１３と同様であるので、説明を省略する。また、以上述べたコントローラ８４’の制御以外については、本実施形態の構成は前述の一実施形態と同様であるので、説明を省略する。
【０１６０】
以上のような構成である本発明の木材破砕機の他の実施の形態においても、前述の一実施の形態と同様に破砕装置１２の過負荷状態を確実に解消することができる。特に、本実施の形態では押圧ローラ装置１３を繰り返し上げ下げするので、例えばアーム部２５と破砕装置１２との隙間に堅固にひっかかっているような滞留物であっても確実に除去することができる。
【０１６１】
なお、以上の２つの実施形態では、圧力センサ１３８，１３９で第１及び第２油圧ポンプ１６２，１６３の吐出圧をそれぞれ検出し、それらの平均値がしきい値Ｐ０以上である場合に送りコンベア１１を逆転駆動及び停止させるようにしたが、本発明の主要な効果である破砕装置１２の過負荷の確実な解消という効果を得る限りにおいては、これに限らない。すなわち、例えば圧力センサ１３８のみを用いて第１油圧ポンプ１６２の吐出圧を検出し、これがしきい値を超える場合に送りコンベア１１が逆転駆動及び停止するように制御してもよい。またこの場合、圧力センサ１３８を例えば破砕装置用コントロールバルブ１６５と破砕装置用油圧モータ１２１との間の管路に設けてもよい。
【０１６２】
また、以上は、被破砕木材の押圧導入手段として、前述した押えコンベア装置１３を採用したが、これに限られず、例えば、駆動ローラ及び従動ローラの間に無端状の部材（ベルトやチェーン等）を巻き回したものを用いてもよい。また、その押圧時の動作も、回動動作でなく上下動する構成として構わない。この場合も同様の効果を得る。
【０１６３】
さらに、破砕装置として破砕ロータ３２の外周部に刃物（破砕ビット３５）を取り付けたいわゆるインパクトクラッシャを備えた木材破砕機を例にとって説明したが、これに限られず、他の破砕装置、例えば、平行に配置された軸にカッタを備え、互いに逆回転させることにより被破砕物をせん断する破砕装置（いわゆるシュレッダを含む２軸せん断機等）や、ロール状の回転体（ロータ）に破砕用の刃物を取り付けたものを一対としてそれら一対を互いに逆方向へ回転させ、それら回転体の間に被破砕物を挟み込んで破砕を行う回転式の破砕装置（いわゆるロールクラッシャを含む６軸破砕機等）や、被破砕物をチップ状にするいわゆる木材チッパーを備えた木材破砕機にも適用可能である。これらの場合も、上記と同様の効果を得る。
【０１６４】
またさらに、本発明を自力走行可能な木材破砕機に適用した場合を例にとって説明したが、これに限られず、牽引して走行可能な移動式木材破砕機、若しくは例えばクレーン等により吊り上げて運搬可能な可搬式木材破砕機、さらにはプラント等において固定機械として配置される定置式木材破砕機に適用しても良いことは言うまでもなく、これらの場合も上記と同様の効果を得る。
【図面の簡単な説明】
【０１６５】
【図１】本発明の木材破砕機の一実施の形態である自走式木材破砕機の全体構造を表す側面図である。
【図２】本発明の木材破砕機の一実施の形態である自走式木材破砕機の全体構造を表す平面図である。
【図３】本発明の木材破砕機の一実施の形態に備えられた破砕装置近傍の側面カバー内部の詳細構造を表す側面図である。
【図４】本発明の木材破砕機の一実施の形態に備えられたアンビル及び第１スクリーン付近の構成を抽出しそれらの破砕時における可動機構の詳細を一部断面で表す側面図である。
【図５】本発明の木材破砕機の一実施の形態に備えられたアンビル及び第１スクリーン付近の構成を抽出しそれらのスクリーン交換時における可動機構の詳細を一部断面で表す側面図である。
【図６】本発明の木材破砕機の一実施の形態に備えられた破砕装置近傍の側面カバー内部におけるアンビルが退避した状態の詳細構造を表す側面図である。
【図７】本発明の木材破砕機の一実施の形態に備えられた第１スクリーン及び第２スクリーン付近の構成を抽出しそれらの破砕時における可動機構の詳細を一部断面で表す側面図である。
【図８】本発明の木材破砕機の一実施の形態に備えられた第１スクリーン及び第２スクリーン付近の構成を抽出しそれらのスクリーン交換時における可動機構の詳細を一部断面で表す側面図である。
【図９】本発明の木材破砕機の一実施の形態に備えられる油圧駆動装置の全体構成を表す油圧回路図である。
【図１０】本発明の木材破砕機の一実施の形態に備えられる油圧駆動装置の全体構成を表す油圧回路図である。
【図１１】本発明の木材破砕機の一実施の形態に備えられる油圧駆動装置の全体構成を表す油圧回路図である。
【図１２】本発明の木材破砕機の一実施の形態に備えられる操作盤の詳細構造を表す正面図である。
【図１３】本発明の木材破砕機の一実施の形態に備えられるコントローラの機能のうち押圧ローラ装置の上げ制御に係わる制御内容を表すフローチャートである。
【図１４】本発明の木材破砕機の一実施の形態による破砕作業時における第１及び第２油圧ポンプの吐出圧の平均値の変化とそのときの送りコンベア、押圧ローラ装置の駆動状態及び押圧ローラ装置の上げ状態の一例を示す図である。
【図１５】本発明の木材破砕機の他の実施の形態に備えられるコントローラの機能のうち押圧ローラ装置の上げ制御に係わる制御内容を表すフローチャートである。
【符号の説明】
【０１６６】
１１          送りコンベア
１２          破砕装置
２２          回動軸
２３          支持部材（アーム）
２４          押えローラ
２８          油圧シリンダ（アーム駆動手段）
８４          コントローラ（制御手段）
８４’        コントローラ（制御手段）
８９          角度センサ（角度検出手段）
１２１        破砕装置用油圧モータ
１３８        圧力センサ（圧力検出手段）
１３９        圧力センサ（圧力検出手段）
【図１】
2006192379.tif 000003
【図２】
2006192379.tif 000004
【図３】
2006192379.tif 000005
【図４】
2006192379.tif 000006
【図５】
2006192379.tif 000007
【図６】
2006192379.tif 000008
【図７】
2006192379.tif 000009
【図８】
2006192379.tif 000010
【図９】
2006192379.tif 000011
【図１０】
2006192379.tif 000012
【図１１】
2006192379.tif 000013
【図１２】
2006192379.tif 000014
【図１３】
2006192379.tif 000015
【図１４】
2006192379.tif 000016
【図１５】
2006192379.tif 000017